(57)【要約】【解決手段】高速映像ケーブル（１０２．ｊ）は、高品位マルチメディアインターフェース（ＨＤＭＩ）規格またはＤｉｓｐｌａｙＰｏｒｔ規格にしたがって信号を搬送し、ロー（１０８．ｊ）ケーブルおよび昇圧装置（１１８）を備える。ローケーブル（１０８．ｊ）は、規格で規定されたインピーダンスよりもケーブルの特性インピーダンスが低い同軸線またはシールド付きツイストペア（ＳＴＰ）を含む。ケーブルコネクタ（１１０）に実装される直列抵抗によって、受信端では、適切なインピーダンスが順守される。結果としての信号損失は、ケーブルの他端で昇圧装置（１１８）によって補償される。または、ＳＴＰもしくは同軸線は、信号を、シールド配線上もしくはシールド上で昇圧装置（１１８）に搬送してよく、昇圧装置は、シールド上の信号により誘導されたコモンモードノイズを除去する。電力を含む補助信号は、接地されていないシールド上を搬送される。その結果、ケーブルに含まれる配線の数が減少し、ケーブルは、より細く、軽量、かつ、低価格になる。ＳＴＰもしくは同軸であるかに拘らず、均一の技術を用いることにより、ケーブルの製造および構築が、より簡略かつ低コストになる。【選択図】図２
2013545212.tif 000002
【特許請求の範囲】
【請求項１】
ケーブル仕様にしたがって、映像ソース装置と映像シンク装置との間で１つ以上の高速差動デジタルデータ信号および１つ以上の補助信号を搬送するデジタル映像ケーブルであって、
前記１つ以上の高速差動デジタルデータ信号を昇圧する昇圧装置と、
１つ以上の二重シールドケーブル要素を有するローケーブルであって、各二重シールドケーブル要素が２つのシールド導体およびシールドを含むローケーブルと
を備え、
少なくとも１つの二重シールドケーブル要素の前記２つのシールド導体は、前記映像ソース装置と前記昇圧装置との間を延伸し、
前記１つ以上の二重シールドケーブル要素の前記シールドは、前記映像ソース装置と前記映像シンク装置との間を延伸し、
前記少なくとも１つの二重シールドケーブル要素の前記シールドは、補助信号を搬送するよう構成され、
前記少なくとも１つの二重シールドケーブル要素の前記２つのシールド導体は、高速差動デジタルデータ信号を搬送するよう構成される、
デジタル映像ケーブル。
【請求項２】
前記１つ以上の二重シールドケーブル要素のうちいくつか、または、全ては、二重同軸要素であり、各二重同軸要素は、シールドが互いに結合された２つの同軸線を含み、各同軸線は、１つのシールド導体を内包する請求項１に記載のデジタル映像ケーブル。
【請求項３】
前記ローケーブルは、１つのシールド導体を内包するシールドを含み、かつ、前記映像ソース装置と前記映像シンク装置との間を延伸し、かつ、前記シールドが、別の補助信号を搬送するよう構成され、かつ、前記シールド導体がさらに別の補助信号を搬送するよう構成された同軸線をさらに有する請求項１に記載のデジタル映像ケーブル。
【請求項４】
前記１つ以上の二重シールドケーブル要素のうちいくつか、または、全ては、シールド付きツイストペア（ＳＴＰ）であり、各シールド付きツイストペアは、前記２つのシールド導体を内包するシールドを含む請求項１に記載のデジタル映像ケーブル。
【請求項５】
前記映像ソース装置を前記ローケーブルに接続する第１回路支持体であって、前記映像ソース装置から前記少なくとも１つの二重シールドケーブル要素の前記２つのシールド導体に、前記高速差動デジタルデータ信号を接続する端子を有する第１回路支持体をさらに備える請求項１から４のいずれか１項に記載のデジタル映像ケーブル。
【請求項６】
前記第１回路支持体は、前記映像ソース装置から前記少なくとも１つの二重シールドケーブル要素の前記シールドに少なくとも１つの補助信号を接続する端子をさらに有する請求項１から５のいずれか１項に記載のデジタル映像ケーブル。
【請求項７】
前記ローケーブルを前記映像シンク装置に接続する第２回路支持体であって、前記昇圧装置を有する第２回路支持体をさらに備える請求項１から６のいずれか１項に記載のデジタル映像ケーブル。
【請求項８】
前記昇圧装置は、前記１つ以上の高速差動デジタルデータ信号を平均化および昇圧する平均化装置および増幅器を有する請求項１から７のいずれか１項に記載のデジタル映像ケーブル。
【請求項９】
前記ケーブル仕様は、高品位マルチメディアインターフェース（ＨＤＭＩ）規格である請求項１から８のいずれか１項に記載のデジタル映像ケーブル。
【請求項１０】
前記ケーブル仕様は、ＤｉｓｐｌａｙＰｏｒｔ規格である請求項１から８のいずれか１項に記載のデジタル映像ケーブル。
【請求項１１】
前記１つ以上の高速差動デジタルデータ信号は、遷移時間最短差動信号伝送方式（ＴＭＤＳ）信号であり、前記１つ以上の補助信号は、コンシューマ・エレクトロニクス・コントロール（ＣＥＣ）信号、シリアル・クロック（ＳＣＬ）信号、ホット・プラグ・ディテクト（ＨＰＤ）信号、および＋５Ｖパワー信号である請求項９に記載のデジタル映像ケーブル。
【請求項１２】
４つの二重シールドケーブル要素の前記２つのシールド導体は、前記映像ソース装置と前記昇圧装置との間を延伸し、
前記４つの二重シールドケーブル要素の前記２つのシールド導体は、遷移時間最短差動信号伝送方式（ＴＭＤＳ）信号である４つの高速差動デジタルデータ信号を搬送するよう構成され、
他の１つの二重シールドケーブル要素の前記２つのシールド導体は、前記映像ソース装置と前記映像シンク装置との間を延伸し、ＨＤＭＩイーサネット（登録商標）オーディオ・リターン・チャンネル（ＨＥＡＣ）差動信号である補助信号を搬送するよう構成され、
前記４つの二重シールドケーブル要素および前記他の１つの二重シールドケーブル要素の前記シールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５Ｖパワー信号である補助信号を搬送するよう構成される
請求項９または１１に記載のデジタル映像ケーブル。
【請求項１３】
４つの二重シールドケーブル要素の前記２つのシールド導体は、前記映像ソース装置と前記昇圧装置との間を延伸し、
前記４つの二重シールドケーブル要素の前記２つのシールド導体は、メインラインレーンである４つの高速差動デジタルデータ信号を搬送するよう構成され、
他の１つの二重シールドケーブル要素の前記２つのシールド導体は、前記映像ソース装置と前記映像シンク装置との間を延伸し、補助チャネル（ＡＵＸ  ＣＨ）差動信号である補助信号を搬送するよう構成され、
前記４つの二重シールドケーブル要素および前記他の１つの二重シールドケーブル要素の前記シールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される
請求項１２に記載のデジタル映像ケーブル。
【請求項１４】
前記少なくとも１つの二重シールドケーブル要素のインピーダンスは、前記ケーブル仕様に規定された前記デジタル映像ケーブルの公称インピーダンスより低く、
前記第１回路支持体は、前記少なくとも１つの二重シールドケーブル要素の前記２つのシールド導体とそれぞれ直列となった２つのパディング抵抗を有し、
前記昇圧装置は、前記少なくとも１つの二重シールドケーブル要素を終端する昇圧回路を有する
請求項５から１３のいずれか１項に記載のデジタル映像ケーブル。
【請求項１５】
ローケーブルおよび昇圧装置を備えるデジタル映像ケーブル上で、映像ソース装置から映像シンク装置に１つ以上の高速差動デジタルデータ信号および１つ以上の補助信号を伝送する方法であって、
前記ローケーブルの１対のシールド導体で、前記映像シンク装置から前記昇圧装置に少なくとも１つの高速差動デジタルデータ信号を搬送する段階と、
前記昇圧装置で前記少なくとも１つの高速差動デジタルデータ信号を昇圧して昇圧信号を生成し、前記昇圧信号を前記映像シンク装置に伝送する段階と、
前記１対のシールド導体のシールド上で、少なくとも１つの補助信号を搬送する段階と
を備える方法。
【請求項１６】
前記昇圧装置で、前記少なくとも１つの高速差動デジタルデータ信号を平均化する段階をさらに備える請求項１５に記載の方法。
【請求項１７】
前記伝送する段階は、
高品位マルチメディアインターフェース（ＨＤＭＩ）ケーブル、および
ＤｉｓｐｌａｙＰｏｒｔケーブル
のうちの１つである前記デジタル映像ケーブル上で伝送する段階を有する請求項１５または１６に記載の方法。
【請求項１８】
ケーブル仕様にしたがって、映像ソース装置と映像シンク装置との間で、１つ以上の高速差動デジタルデータ信号および１つ以上の補助信号を搬送するデジタル映像ケーブルであって、
１つ以上の二重シールドケーブル要素を有するローケーブルであって、各二重シールドケーブル要素が、シールドと、高速差動デジタルデータ信号の２つの極性を伝送する２つのシールド導体とを含み、少なくとも１つの二重シールドケーブル要素のインピーダンスが、前記ケーブル仕様に規定された前記デジタル映像ケーブルの公称インピーダンスより低いローケーブルと、
前記映像ソース装置を前記ローケーブルに接続する第１回路支持体であって、前記少なくとも１つの二重シールドケーブル要素の前記２つのシールド導体とそれぞれ直列となった２つのパディング抵抗を有する第１回路支持体と、
前記ローケーブルを前記映像シンク装置に接続する第２回路支持体であって、前記少なくとも１つの二重シールドケーブル要素を終端し、かつ、前記少なくとも１つの二重シールドケーブル要素によって搬送される前記高速差動デジタルデータ信号を昇圧する昇圧装置を有する第２回路支持体と、
を備え、
前記昇圧装置の出力が前記映像シンク装置に接続される
デジタル映像ケーブル。
【請求項１９】
前記２つのパディング抵抗の合計の抵抗値は、前記公称インピーダンスと前記少なくとも１つの二重シールドケーブル要素の前記インピーダンスとの差に等しい請求項１８に記載のデジタル映像ケーブル。
【請求項２０】
前記２つのパディング抵抗は、同一の抵抗値を有する請求項１９に記載のデジタル映像ケーブル。
【請求項２１】
前記１つ以上の二重シールドケーブル要素のうち１つの二重シールドケーブル要素の前記シールドは、補助信号を搬送するよう構成される請求項１８から２０のいずれか１項に記載のデジタル映像ケーブル。
【請求項２２】
前記１つ以上の二重シールドケーブル要素のうち１つの二重シールドケーブル要素の前記２つのシールド導体は、高速差動デジタルデータ信号を搬送するよう構成される請求項２１に記載のデジタル映像ケーブル。
【請求項２３】
前記１つ以上の二重シールドケーブル要素のうちいくつか、または、全ては、二重同軸要素であり、各二重同軸要素は、シールドが互いに結合された２つの同軸線を含み、各同軸線は、１つのシールド導体を内包する請求項１８から２２のいずれか１項に記載のデジタル映像ケーブル。
【請求項２４】
前記デジタル映像ケーブルの前記公称インピーダンスは、１００オームであり、前記少なくとも１つの二重シールドケーブル要素の前記インピーダンスは、前記２つの同軸線の特性インピーダンスを含めて５０オームから９０オームの間である請求項２３に記載のデジタル映像ケーブル。
【請求項２５】
各同軸線の特性インピーダンスは、３５オームである請求項２４に記載のデジタル映像ケーブル。
【請求項２６】
前記１つ以上の二重シールドケーブル要素のうちいくつか、または、全ては、シールド付きツイストペア（ＳＴＰ）であり、各ＳＴＰは、前記２つのシールド導体を内包するシールドを含む請求項１８から２２のいずれか１項に記載のデジタル映像ケーブル。
【請求項２７】
前記デジタル映像ケーブルの前記公称インピーダンスは、１００オームであり、シールド付きツイストペアの特性インピーダンスは、５０オームから９０オームの間である請求項２６に記載のデジタル映像ケーブル。
【請求項２８】
前記シールド付きツイストペアの前記特性インピーダンスは、７０オームである請求項２７に記載のデジタル映像ケーブル。
【請求項２９】
前記ケーブル仕様は、高品位マルチメディアインターフェース（ＨＤＭＩ）規格である請求項１８から２８のいずれか１項に記載のデジタル映像ケーブル。
【請求項３０】
前記ケーブル仕様は、ＤｉｓｐｌａｙＰｏｒｔ規格である請求項１８から２８のいずれか１項に記載のデジタル映像ケーブル。
【請求項３１】
前記１つ以上の高速差動デジタルデータ信号は、遷移時間最短差動信号伝送方式（ＴＭＤＳ）信号であり、前記１つ以上の補助信号は、コンシューマ・エレクトロニクス・コントロール（ＣＥＣ）信号、シリアル・クロック（ＳＣＬ）信号、ホット・プラグ・ディテクト（ＨＰＤ）信号、および＋５Ｖパワー信号である請求項２９に記載のデジタル映像ケーブル。
【請求項３２】
４つの二重シールドケーブル要素の前記２つのシールド導体は、前記映像ソース装置と前記昇圧装置との間を延伸し、
前記４つの二重シールドケーブル要素の前記２つのシールド導体は、遷移時間最短差動信号伝送方式（ＴＭＤＳ）信号である４つの高速差動デジタルデータ信号を搬送するよう構成され、
他の１つの二重シールドケーブル要素の前記２つのシールド導体は、前記映像ソース装置と前記映像シンク装置との間を延伸し、ＨＤＭＩイーサネット（登録商標）オーディオ・リターン・チャンネル（ＨＥＡＣ）差動信号である補助信号を搬送するよう構成され、
前記４つの二重シールドケーブル要素および前記他の１つの二重シールドケーブル要素の前記シールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５パワー信号である補助信号を搬送するよう構成される
請求項２９または３１に記載のデジタル映像ケーブル。
【請求項３３】
前記昇圧装置は、前記ＴＭＤＳ信号をそれぞれ平均化および昇圧する平均化装置および増幅器を含む請求項３１または３２に記載のデジタル映像ケーブル。
【請求項３４】
４つの二重シールドケーブル要素の前記２つのシールド導体は、前記映像ソース装置と前記昇圧装置との間を延伸し、
前記４つの二重シールドケーブル要素の前記２つのシールド導体は、メインラインレーンである４つの高速差動デジタルデータ信号を搬送するよう構成され、
他の１つの二重シールドケーブル要素の前記２つのシールド導体は、前記映像ソース装置と前記映像シンク装置との間を延伸し、補助チャネル（ＡＵＸ  ＣＨ）差動信号である補助信号を搬送するよう構成され、
前記４つの二重シールドケーブル要素および前記他の１つの二重シールドケーブル要素の前記シールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される
請求項３０に記載のデジタル映像ケーブル。
【請求項３５】
前記昇圧装置は、前記メインラインレーンをそれぞれ平均化および昇圧する平均化装置および増幅器を含む請求項３４に記載のデジタル映像ケーブル。
【請求項３６】
ケーブル仕様に適合するよう設計されたデジタル映像ケーブル上で、映像ソース装置から映像シンク装置に、高速差動デジタルデータ信号を伝送する方法であって、
前記ケーブル仕様に規定された前記デジタル映像ケーブルの公称インピーダンスよりも低いインピーダンスを持つローケーブルの入力に、２つのパディング抵抗をそれぞれ介して、前記高速差動デジタルデータ信号の２つの極性を結合する段階と、
前記ローケーブルの前記インピーダンスに整合する入力を有する昇圧装置に、前記ローケーブルの出力から、差動出力信号を結合する段階と、
前記差動出力信号を昇圧して昇圧差動信号を生成する段階と、
前記昇圧差動信号を前記映像シンク装置に結合する段階と
を備える方法。
【請求項３７】
前記ローケーブルのシールド上で、前記映像ソース装置から前記映像シンク装置に、補助信号を伝送する段階をさらに備える請求項３６に記載の方法。
【請求項３８】
前記伝送する段階は、シールドが互いに結合された１対の同軸線を含む同軸ケーブル上で伝送する段階を有し、前記補助信号は、結合された前記シールド上で伝送される請求項３７に記載の方法。
【請求項３９】
前記伝送する段階は、２つのシールド導体を内包するシールドを含むシールド付きツイストペア（ＳＴＰ）上で伝送する段階を有し、前記補助信号は前記ＳＴＰの前記シールド上で伝送され、前記高速差動デジタルデータ信号は、前記２つのシールド導体上で伝送される請求項３７に記載の方法。
【発明の詳細な説明】
【技術分野】
【０００１】
本発明は、高速信号線を配線するための昇圧高速データケーブル（ｂｏｏｓｔｅｄ  ｈｉｇｈ  ｓｐｅｅｄ  ｄａｔａ  ｃａｂｌｅｓ）の構築に関する。
【背景技術】
【０００２】
テレビ信号の配信は、ますますデジタル方式およびデジタル符号化形式の映像音声信号に依存するようになってきている。同時に、大型かつ高解像度になり行くディスプレイに対応して、より高い解像度（ハイビジョンＴＶ）が市場で利用できるようになってきている。このような高解像度ディスプレイを、デジタル多用途ディスク（ＤＶＤ）プレーヤ、および、デジタル衛星／デジタルケーブルを介して配信される映像資源の受信装置/復号装置等のデジタル信号ソースに相互接続するための要件に適合するべく、高品位マルチメディアインターフェース（ＨＤＭＩ）として知られるデジタルインターフェース規格が発展してきている。ＨＤＭＩの詳細な仕様は、「ｈｄｍｉ．ｏｒｇ」ウェブサイトから取得することができる。現在入手可能かつ本明細書で用いられるＨＤＭＩ仕様は、２０１０年３月４日付けのＨＤＭＩ仕様第１．４ａ版であり、本明細書に参照として組み込む。
【０００３】
ＨＤＭＩ仕様にしたがって、高速デジタル信号を、上に例示したものを非限定的に含むデジタル信号ソースから、信号を受信するよう構成されたデジタルディスプレイもしくはその他の装置に伝送するべく、多様な構築態様のＨＤＭＩケーブルが用いられうる。
【０００４】
ＨＤＭＩケーブルは、シールドされた４つの高速差動信号だけでなく、多数のより低速な信号、電力、およびグラウンドを搬送し、これら全体は外側編組（ｏｕｔｅｒ  ｂｒａｉｄ）によりさらにシールドされる。結果としての多数の配線を含む複合ケーブル構成は、それらのうち何本かは個別にシールドされるのであるが、製造および終端するのに高額となる。
【０００５】
映像ソースを映像シンクに接続する別の規格が、ビデオ・エレクトロニクス・スタンダーズ・アソシエーション（ＶＥＳＡ）によりＤｉｓｐｌａｙＰｏｒｔ規格として公表されている。本明細書で用いられる最新のＤｉｓｐｌａｙＰｏｒｔ仕様は、２０１０年１月５日付けのＤｉｓｐｌａｙＰｏｒｔ第１．２版であり、そのコピーはｗｗｗ．ｖｅｓａ．ｏｒｇから取得することができる。ＤｉｓｐｌａｙＰｏｒｔ規格では、コンピュータとそのディスプレイモニタもしくはホームシアターシステムとの間で用いられることを第一義とされた高速データケーブルが規定されている。ＤｉｓｐｌａｙＰｏｒｔ規格に適合するケーブルはＨＤＭＩケーブルに非常に類似しており、主要な違いはそれぞれの物理的コネクタにある。
【０００６】
したがって、従来技術の欠点を回避もしくは軽減し、同時に経済性に優れた、改良型の製造容易な高速ケーブルを開発する必要が産業界に存在する。
【発明の概要】
【発明が解決しようとする課題】
【０００７】
したがって、本発明の目的は、従来技術のケーブルよりも優れた特性を持つ、配線の本数が少なくなった改良型の高速ケーブルを提供することである。
【０００８】
本発明の別の目的は、従来技術のケーブルよりも優れた特性を持つ、改良型の低インピーダンス昇圧高速データケーブルを提供することである。
【課題を解決するための手段】
【０００９】
本発明の一観点によると、ケーブル仕様にしたがって、映像ソース装置と映像シンク装置との間で１つ以上の高速差動デジタルデータ信号および１つ以上の補助信号を搬送するデジタル映像ケーブルが提供され、デジタル映像ケーブルは、昇圧装置と、１つ以上の二重シールドケーブル要素を有するローケーブルであって、各二重シールドケーブル要素が２つのシールド導体およびシールドを含むローケーブルとを備え、少なくとも１つの二重シールドケーブル要素のシールド導体は、映像ソース装置と昇圧装置との間を延伸し、１つ以上の二重シールドケーブル要素のシールドは、映像ソース装置と映像シンク装置との間を延伸し、少なくとも１つの二重シールドケーブル要素のシールドは、補助信号を搬送するよう構成され、少なくとも１つの二重シールドケーブル要素のシールド導体は、高速差動デジタルデータ信号を搬送するよう構成される。
【００１０】
上記のケーブルにおいて、１つ以上の二重シールドケーブル要素は、二重同軸要素であり、各二重同軸要素は、シールドが互いに結合された２つの同軸線を含み、各同軸線は、１つのシールド導体を内包する。または、１つ以上の二重シールドケーブル要素のうちいくつかだけが二重同軸要素であってよく、各二重同軸要素は、シールドが互いに結合された２つの同軸線を含み、各同軸線は、１つのシールド導体を内包する。
【００１１】
ケーブル設計の変更において、ローケーブルは、１つのシールド導体を内包するシールドを含み、かつ、映像ソース装置と映像シンク装置との間を延伸し、かつ、シールドが、別の補助信号を搬送するよう構成され、かつ、シールド導体がさらに別の補助信号を搬送するよう構成された同軸線をさらに有してよい。
【００１２】
または、上記のケーブルにおいて、１つ以上の二重シールドケーブル要素は、シールド付きツイストペア（ＳＴＰ）であり、各シールド付きツイストペアは、上記の２つのシールド導体を内包するシールドを含む。または、１つ以上の二重シールドケーブル要素のうちいくつかだけが、シールド付きツイストペア（ＳＴＰ）であってよく、各シールド付きツイストペアは、上記の２つのシールド導体を内包するシールドを含む。
【００１３】
または、ローケーブルは、映像ソース装置と映像シンク装置との間に１つ以上の二重シールドケーブル要素だけを有し、その他の配線は一切有さず、各二重シールドケーブル要素は、
（ｉ）シールドが互いに結合され、かつ、それぞれが１つのシールド導体を内包する２つの同軸線を含む二重同軸要素、および
（ｉｉ）上記の２つのシールド導体を内包するシールドを含むシールド付きツイストペア（ＳＴＰ）
のうちの一方である。
【００１４】
本発明の一実施形態では、ケーブル仕様は、高品位マルチメディアインターフェース（ＨＤＭＩ）規格である。本発明の別の実施形態では、ケーブル仕様は、ＤｉｓｐｌａｙＰｏｒｔ規格である。
【００１５】
ケーブルは、映像ソース装置をローケーブルに接続する第１回路支持体であって、映像ソース装置から少なくとも１つの二重シールドケーブル要素のシールド導体に、高速差動デジタルデータ信号を接続する端子をさらに有する第１回路支持体をさらに備える。第１回路支持体は、映像ソース装置から少なくとも１つの二重シールドケーブル要素のシールドに少なくとも１つの補助信号を接続する端子をさらに有する。
【００１６】
ケーブルは、ローケーブルを映像シンク装置に接続する第２回路支持体であって、上記の昇圧装置を有する第２回路支持体をさらに備えてよい。
【００１７】
ＨＤＭＩ仕様に従う本発明の実施形態に係るケーブルは、遷移時間最短差動信号伝送方式（ＴＭＤＳ）信号である高速差動デジタルデータ信号と、コンシューマ・エレクトロニクス・コントロール（ＣＥＣ）信号、シリアル・クロック（ＳＣＬ）信号、ホット・プラグ・ディテクト（ＨＰＤ）信号、および＋５Ｖパワー信号である補助信号とを伝送するのに適切である。
【００１８】
本発明の実施形態に係るＨＤＭＩケーブルでは、４つの二重シールドケーブル要素のシールド導体は、映像ソース装置と昇圧装置との間を延伸し、４つの二重シールドケーブル要素のシールド導体は、遷移時間最短差動信号伝送方式（ＴＭＤＳ）信号である４つの高速差動デジタルデータ信号をそれぞれ搬送するよう構成され、他の１つの二重シールドケーブル要素のシールド導体は、映像ソース装置と映像シンク装置との間を延伸し、ＨＤＭＩイーサネット（登録商標）オーディオ・リターン・チャンネル（ＨＥＡＣ）差動信号である補助信号を搬送するよう構成され、４つの二重シールドケーブル要素および他の１つの二重シールドケーブル要素のシールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５パワー信号である補助信号を搬送するよう構成される。
【００１９】
ＨＤＭＩケーブルでは、昇圧装置は、ＴＭＤＳ信号をそれぞれ平均化および昇圧する平均化装置および増幅器を有してもよい。
【００２０】
ＤｉｓｐｌａｙＰｏｒｔ仕様にしたがう本発明の実施形態に係るケーブルは、以下のように設計されている。４つの二重シールドケーブル要素のシールド導体は、映像ソース装置と昇圧装置との間を延伸し、４つの二重シールドケーブル要素のシールド導体は、メインラインレーンである４つの高速差動デジタルデータ信号をそれぞれ搬送するよう構成され、他の１つの二重シールドケーブル要素のシールド導体は、映像ソース装置と映像シンク装置との間を延伸し、補助チャネル（ＡＵＸ  ＣＨ）差動信号である補助信号を搬送するよう構成され、４つの二重シールドケーブル要素および他の１つの二重シールドケーブル要素のシールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される。
【００２１】
本発明の実施形態に係るＤｉｓｐｌａｙＰｏｒｔケーブルでは、昇圧装置は、メインラインレーンをそれぞれ平均化および昇圧する平均化装置および増幅器を有してもよい。
【００２２】
上記のケーブルでは、少なくとも１つの二重シールドケーブル要素のインピーダンスは、ケーブル仕様に規定されたケーブルの公称インピーダンスより低くてよい。この場合、ケーブルは、映像ソース装置をローケーブルに接続する第１回路支持体であって、少なくとも１つの二重シールドケーブル要素の２つのシールド導体とそれぞれ直列となった２つのパディング抵抗を有する第１回路支持体と、ローケーブルを映像シンク装置に接続する第２回路支持体とをさらに備え、昇圧装置は、第２回路支持体に実装されて、少なくとも１つの二重シールドケーブル要素を終端し、かつ、高速差動デジタルデータ信号を昇圧する。
【００２３】
本発明の別の観点によると、ローケーブルおよび昇圧装置を備えるデジタル映像ケーブル上で、映像ソース装置から映像シンク装置に１つ以上の高速差動デジタルデータ信号および１つ以上の補助信号を伝送する方法が提供され、当該方法は、ローケーブルの１対のシールド導体で、映像シンク装置から昇圧装置に少なくとも１つの高速差動デジタルデータ信号を搬送する段階と、昇圧装置で少なくとも１つの高速差動デジタルデータ信号を昇圧して昇圧信号を生成し、昇圧信号を映像シンク装置に伝送する段階と、１対のシールド導体のシールド上で、少なくとも１つの補助信号を搬送する段階とを備える。
【００２４】
上記の方法は、昇圧装置で、少なくとも１つの高速差動デジタルデータ信号を平均化する段階をさらに備える。
【００２５】
上記の方法において、伝送する段階は、高品位マルチメディアインターフェース（ＨＤＭＩ）ケーブル、および、ＤｉｓｐｌａｙＰｏｒｔケーブルのうちの１つであるデジタル映像ケーブル上で伝送する段階を有する。本発明の実施形態では、ケーブル仕様は、高品位マルチメディアインターフェース（ＨＤＭＩ）規格であってよく、または、ＤｉｓｐｌａｙＰｏｒｔ規格であってよい。
【００２６】
本発明の一つ以上の観点によると、ケーブル仕様にしたがって、映像ソース装置と映像シンク装置との間で、１つ以上の高速差動デジタルデータ信号および１つ以上の補助信号を搬送するデジタル映像ケーブルが提供され、デジタル映像ケーブルは、
１つ以上の二重シールドケーブル要素を有するローケーブルであって、各二重シールドケーブル要素が、シールドと、高速差動デジタルデータ信号の２つの極性を伝送する２つのシールド導体とを含み、少なくとも１つの二重シールドケーブル要素のインピーダンスが、ケーブル仕様に規定されたケーブルの公称インピーダンスより低いローケーブルと、
映像ソース装置をローケーブルに接続する第１回路支持体であって、少なくとも１つの二重シールドケーブル要素の２つのシールド導体とそれぞれ直列となった２つのパディング抵抗を有する第１回路支持体と、
ローケーブルを映像シンク装置に接続する第２回路支持体であって、少なくとも１つの二重シールドケーブル要素を終端し、かつ、少なくとも１つの二重シールドケーブル要素によって搬送される高速差動デジタルデータ信号を昇圧する昇圧装置を有する第２回路支持体と
を備え、昇圧装置の出力は映像シンク装置に接続される。
【００２７】
２つのパディング抵抗の合計の抵抗値は、公称インピーダンスと少なくとも１つの二重シールドケーブル要素のインピーダンスとの差に実質的に等しい。利便的に、２つのパディング抵抗は、同一の抵抗値を有する。
【００２８】
上記のケーブルにおいて、１つ以上の二重シールドケーブル要素は、二重同軸要素であり、各二重同軸要素は、シールドが互いに結合された２つの同軸線を含み、各同軸線は、１つのシールド導体を内包する。または、１つ以上の二重シールドケーブル要素のうちいくつかだけが二重同軸要素であってよく、各二重同軸要素は、シールドが互いに結合された２つの同軸線を含み、各同軸線は、１つのシールド導体を内包する。
【００２９】
または、１つ以上の二重シールドケーブル要素は、シールド付きツイストペア（ＳＴＰ）であってよく、各ＳＴＰは、上記の２つのシールド導体を内包するシールドを含む。または、１つ以上の二重シールドケーブル要素のうちいくつかだけが、シールド付きツイストペア（ＳＴＰ）であってよく、各ＳＴＰは、上記の２つのシールド導体を内包するシールドを含む。または、ローケーブルは、映像ソース装置と映像シンク装置との間に１つ以上の二重シールドケーブル要素だけを有し、つまり、その他の配線は一切有さず、各二重シールドケーブル要素は、シールドが互いに結合され、かつ、それぞれが１つのシールド導体を内包する２つの同軸線を含む二重同軸要素である。またさらに、ローケーブルは、映像ソース装置と映像シンク装置との間に１つ以上の二重シールドケーブル要素だけを有し、つまり、その他の配線は一切有さず、各二重シールドケーブル要素は、上記の２つのシールド導体を内包するシールドを含むシールド付きツイストペア（ＳＴＰ）である。
【００３０】
上記の本発明の実施形態において、ケーブル仕様は、高品位マルチメディアインターフェース（ＨＤＭＩ）規格またはＤｉｓｐｌａｙＰｏｒｔ規格である。
【００３１】
本発明の実施形態において、ケーブルの公称インピーダンスは、１００オームであり、少なくとも１つの二重シールドケーブル要素のインピーダンスは、２つの同軸線の特性インピーダンスを含めて約５０オームから約９０オームの間である。本例では、各同軸線の特性インピーダンスは、約３５オームであってよい。
【００３２】
ＳＴＰを用いる本発明の別の実施形態では、ケーブルの公称インピーダンスは、１００オームであり、シールド付きツイストペアの特性インピーダンスは、約５０オームから約９０オームの間である。たとえば、シールド付きツイストペアの特性インピーダンスは、約７０オームであってよい。
【００３３】
上記のケーブルにおいて、１つ以上の二重シールドケーブル要素のうち１つの二重シールドケーブル要素のシールドは、補助信号を搬送するよう構成され、１つ以上の二重シールドケーブル要素のうち１つの二重シールドケーブル要素の２つのシールド導体は、高速差動デジタルデータ信号を搬送するよう構成される。
【００３４】
本発明の実施形態に係るＨＤＭＩケーブルでは、４つの二重シールドケーブル要素のシールド導体は、映像ソース装置と昇圧装置との間を延伸し、４つの二重シールドケーブル要素のシールド導体は、遷移時間最短差動信号伝送方式（ＴＭＤＳ）信号である４つの高速差動デジタルデータ信号をそれぞれ搬送するよう構成され、他の１つの二重シールドケーブル要素のシールド導体は、映像ソース装置と映像シンク装置との間を延伸し、ＨＤＭＩイーサネット（登録商標）オーディオ・リターン・チャンネル（ＨＥＡＣ）差動信号である補助信号を搬送するよう構成され、４つの二重シールドケーブル要素および他の１つの二重シールドケーブル要素のシールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５Ｖパワー信号である補助信号を搬送するよう構成される。
【００３５】
ＨＤＭＩケーブルでは、昇圧装置は、ＴＭＤＳ信号をそれぞれ平均化および昇圧する平均化装置および増幅器を含んでもよい。
【００３６】
ＤｉｓｐｌａｙＰｏｒｔ仕様にしたがう本発明の実施形態に係るケーブルは、以下のように設計されている。４つの二重シールドケーブル要素のシールド導体は、映像ソース装置と昇圧装置との間を延伸し、４つの二重シールドケーブル要素のシールド導体は、メインラインレーンである４つの高速差動デジタルデータ信号を搬送するよう構成され、他の１つの二重シールドケーブル要素のシールド導体は、映像ソース装置と映像シンク装置との間を延伸し、補助チャネル（ＡＵＸ  ＣＨ）差動信号である補助信号を搬送するよう構成され、４つの二重シールドケーブル要素および他の１つの二重シールドケーブル要素のシールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される。
【００３７】
本発明の実施形態に係るＤｉｓｐｌａｙＰｏｒｔケーブルでは、昇圧装置は、メインラインレーンをそれぞれ平均化および昇圧する平均化装置および増幅器を含んでもよい。
【００３８】
本発明のさらに別の観点によると、ケーブル仕様に適合するよう設計されたデジタル映像ケーブル上で、映像ソース装置から映像シンク装置に、高速差動デジタルデータ信号を伝送する方法が提供され、当該方法は、
ケーブル仕様に規定されたケーブルの公称インピーダンスよりも低いインピーダンスを持つローケーブルの入力に、２つのパディング抵抗をそれぞれ介して、高速差動デジタルデータ信号の２つの極性を結合する段階と、
ローケーブルのインピーダンスに整合する入力を有する昇圧装置に、ローケーブルの出力から、差動出力信号を結合する段階と、
差動出力信号を昇圧して昇圧差動信号を生成する段階と、
昇圧差動信号を映像シンク装置に結合する段階と
を備える。
【００３９】
上記の方法は、ローケーブルのシールド上で、映像ソース装置から映像シンク装置に、補助信号を伝送する段階をさらに備える。上記の方法において、伝送する段階は、シールドが互いに結合された１対の同軸線を含む同軸ケーブル上で伝送する段階を有し、補助信号は、結合されたシールド上で伝送される。
【００４０】
または、伝送する段階は、２つのシールド導体を内包するシールドを含むシールド付きツイストペア（ＳＴＰ）上で伝送する段階を有してよく、補助信号はＳＴＰのシールド上で伝送され、高速差動デジタルデータ信号は、２つのシールド導体上で伝送される。
【００４１】
したがって、配線数が少ない改良型の高速データケーブルと、そのケーブル上でデジタル信号を伝送する方法とが提供される。また、改良型の低インピーダンス昇圧高速データケーブルと、そのケーブル上でデジタル信号を伝送する方法とが提供される。
【図面の簡単な説明】
【００４２】
添付の図面を参照して、本発明の実施形態を、例示を目的として記載する。
【図１Ａ】シールド付きツイストペア（ＳＴＰ）である二重シールドケーブル要素１２と、昇圧回路２０とを備えるシールドケーブル上で、シングルエンド信号および差動新郷を伝送する原理を説明するための簡略化された昇圧ケーブル１０を示す。
【図１Ｂ】図１Ａの二重シールドケーブル要素１２の代替として用いうる二重同軸要素１２Ｂを示す。
【図２】ｊが本発明の実施形態に係る多数の種類のうちいずれであってもよい、映像ソース装置（Ｔｘ）１０４と映像シンク装置（Ｒｘ）１０６とを相互接続する一般的な昇圧デジタル映像ケーブル１０２．ｊの構成１００を示す。
【図３】本発明の第１実施形態に係る同軸技術に基づく基本同軸ＨＤＭＩケーブル１０２．１を示す。
【図４】本発明の第２実施形態に係るシールド付きツイストペア（ＳＴＰ）技術に基づく基本ＳＴＰ  ＨＤＭＩケーブル１０２．２を示す。
【図５】本発明の第３実施形態に係る同軸技術に基づくＨＥＡＣ対応同軸ＨＤＭＩケーブル１０２．３を示す。
【図６】本発明の第４実施形態に係るシールド付きツイストペア（ＳＴＰ）技術に基づくＨＥＡＣ対応ＳＴＰ  ＨＤＭＩケーブル１０２．４を示す。
【図７】本発明の第５実施形態に係る同軸技術に基づく同軸ＤｉｓｐｌａｙＰｏｒｔケーブル１０２．５を示す。
【図８】本発明の第６実施形態に係るシールド付きツイストペア（ＳＴＰ）技術に基づくＳＴＰ  ＤｉｓｐｌａｙＰｏｒｔケーブル１０２．６を示す。
【図９】標準同軸９０２、外径縮小同軸９０４、およびコア径増大同軸９０６を含む典型的な設計の選択肢間の比較を示すべく、３つの同軸線断面を示す。
【図１０】第１入力パドルボード１１４．１に取って代わる低インピーダンス入力パドルボード１１４．１０を除いて、図３の基本同軸ＨＤＭＩケーブル１０２．１と同一である低インピーダンス同軸ＨＤＭＩケーブル１０２．１０を示す。
【発明を実施するための形態】
【００４３】
本発明の実施形態では、シールドされた高速信号線を含み、より低速のその他の信号、電力、およびグラウンドも搬送し、シールド高速信号線のシールドを、より低速な信号、電力、およびグラウンドを搬送するのに用いる昇圧高速ケーブルが記載される。
【００４４】
ＨＤＭＩ信号を搬送するのに用いられるような高速差動信号伝達ケーブルの固有の特性および製造不全性によって、ケーブルで搬送される高速信号に悪影響が及ぼされる。これらの影響を軽減するべく、産業界では多様な昇圧高速データケーブルが提案されてきた。たとえば、本願と同一の譲受人により以前に出願された２００７年７月１８日出願の米国出願第１１／８２６，７１３号では、ケーブルに昇圧装置を組み込む。当該特許出願の全内容を本明細書に参照として組み込むものとする。
【００４５】
本願発明者らによる発見では、上記の米国出願第１１／８２６，７１３号に記載されるように信号を平均化および昇圧するべく昇圧装置を用いるだけでなく、その他の利点を得るべく、具体的には、複数の差動高速信号の各シールドをその他の信号を搬送するのに用いることができるようにするベく昇圧装置を用いてよい。
【００４６】
従来技術のケーブルでは、電磁波妨害（ＥＭＩ）を低減させるべく、全てのシールドがグラウンドに結合される。本発明の実施形態のいずれかに係るケーブルでは、ＥＭＩシールドは変わらず設けられるが、高速ＨＤＭＩ信号のシールドをグラウンドに結合するのではなく、より低速な信号、電力、およびグラウンドをシールドで伝送する。
【００４７】
図１Ａは、シールドケーブル上でシングルエンド信号および差動信号を伝送する原理を説明するべく簡略化された昇圧ケーブル１０を示す。簡略化昇圧ケーブル１０は、第１および第２の信号線（２つのシールド付き導体）１６および１８を内包する単一シールド１４を有するシールド付きツイストペア（ＳＴＰ）である二重シールドケーブル要素１２と、入力ｉ＋およびｉ−、ならびに出力ｏ＋およびｏ−を有する昇圧回路２０とを備える。昇圧回路２０の入力ｉ＋およびｉ−は差動入力対であり、昇圧回路２０の出力ｏ＋およびｏ−は差動出力対である。
【００４８】
簡略化昇圧ケーブル１０は、シングルエンド信号「Ａ」と、極性Ｄ＋ｉおよびＤ−ｉを有する差動信号「Ｄ」とを簡略化昇圧ケーブル１０の入力において受信し、これらの信号をその出力において実質的に歪まないように伝達する。昇圧回路２０は、差動信号「Ｄ」を平均化および昇圧するための平均化回路（ＥＱ）および差動増幅器（Ａｍｐ）を有する。
【００４９】
信号線１６および１８は、極性Ｄ＋ｉおよびＤ−ｉを有する簡略化昇圧ケーブル１０の入力からの差動信号「Ｄ」を、二重シールドケーブル要素１２を介して昇圧回路２０の入力ｉ＋およびｉ−まで搬送する。昇圧回路２０の出力ｏ＋およびｏ−は、極性Ｄ＋ｏおよびＤ−ｏを有する処理済差動信号を簡略化昇圧ケーブル１０の出力まで伝達し、これにより差動信号「Ｄ」が表される。
【００５０】
単一シールド１４は、シングルエンド信号「Ａ」を、簡略化昇圧ケーブル１０の入力からその出力まで直接的に搬送する。
【００５１】
昇圧回路２０の処理機能には、差動入力信号の受信、差動入力信号のコモンモード成分の除去、二重シールドケーブル要素１２によりもたらされた信号への障害を補償するべく信号を平均化すること、平均化差動信号「Ｄ」を昇圧した結果を出力することが含まれる。
【００５２】
つまり、差動信号は、平均化および昇圧の利点を得られる高速データ信号「Ｄ」であり、シングルエンド信号は、平均化もしくは昇圧を必要としないグラウンド信号、電源信号、もしくはなんらかの低速信号である。
【００５３】
ＳＴＰローケーブル（ＳＴＰ  ｒａｗ  ｃａｂｌｅ）１２の長さに沿って、シングルエンド信号「Ａ」のわずかな部分が、分散されたキャパシタ２２および２４を介して信号線１６および１８のそれぞれに、望まれぬノイズとして結合することは不可避であり、したがって差動信号「Ｄ」が影響を受ける。二重シールドケーブル要素１２の構成において、キャパシタ２２および２４が本質的に等しいものであるとすると、極性Ｄ＋ｉおよびＤ−ｉは等しく影響され、結合したノイズはコモンモードノイズとして現れる。
【００５４】
二重シールドケーブル要素１２の受信端において、差動信号「Ｄ」を受信した昇圧回路２０は十分にコモンモードノイズを除去し、コモンモードノイズが差動信号に変換されないようにする。昇圧信号を発生する昇圧回路２０の出力ｏ＋およびｏ−は、クリーンな差動信号となって簡略化昇圧ケーブル１０の出力に伝達される。
【００５５】
または、図１Ｂに示すように、二重シールドケーブル要素１２の代わりに二重同軸要素１２Ｂを用いてもよい。二重同軸要素１２Ｂは、外部導体（シールド）が互いに結合された、同軸対３０を形成する２本の同軸線２６および２８を備えるものであり、結合されたシールドにより、シングルエンド信号「Ａ」の接続が提供される。同軸線２６は、その内部導体３２上で差動信号「Ｄ」の極性Ｄ＋ｉを搬送し、同軸線２８は、その内部導体３４上で差動信号「Ｄ」の極性Ｄ−ｉを搬送する。シングルエンド信号「Ａ」と、シールド導体とも呼ばれる内部導体３２および３４との、それぞれ分散キャパシタ３６および３８を介する結合は、二重シールドケーブル要素１２の場合と類似しており、コモンモードノイズが発生するが、昇圧回路２０により除去される。
【００５６】
以下の図面では、図１Ａおよび１Ｂに示すケーブル要素に基づいた本発明の実施形態としての多様な昇圧ＨＤＭＩケーブル構成が示される。
【００５７】
図２は、映像ソース装置（Ｔｘ）１０４を映像シンク装置（Ｒｘ）１０６に接続する一般的な昇圧デジタル映像ケーブル１０２．ｊの構成１００を示しており、ｊは以下に記載する多数の種類のうちのいずれであってもよい。昇圧デジタル映像ケーブル１０２．ｊは、ローケーブル１０８．ｊと、入力コネクタ１１０および出力コネクタ１１２とを備える。
【００５８】
入力コネクタ１１０は、ローケーブル１０８．ｊを映像ソース装置（Ｔｘ）１０４に接続し、映像ソース装置（Ｔｘ）１０４からの信号とローケーブル１０８．ｊの設備（配線、シールド）とを接続させる入力パドルボード１１４．ｊを有する。
【００５９】
ローケーブル１０８．ｊは、高速差動データ信号である映像信号およびケーブル仕様に規定される補助信号を搬送するための二重シールドケーブル要素と、任意に単一同軸線とを含む。または、ローケーブルは、二重シールドケーブル要素だけを含んでよく、つまり、映像ソース装置と映像シンク装置との間にその他の配線を含まなくてよい。
【００６０】
ＨＤＭＩおよびＤｉｓｐｌａｙＰｏｒｔの仕様をカバーし、同軸もしくはシールド付きツイストペア（ＳＴＰ）のいずれかの技術を用いつつ、ローケーブル１０８．ｊの多様な実施形態を以下に記載する。出力コネクタ１１２は、ローケーブル１０８を映像シンク装置（Ｒｘ）１０６に接続し、ケーブル昇圧装置１１８を含む出力パドルボード１１６．ｊを有し、ローケーブル１０８．ｊの設備（配線、シールド）と映像シンク装置（Ｒｘ）１０６とを接続させる。ケーブル昇圧装置１１８は、ケーブルに含まれる配線のうちのいくつかと、映像シンク装置（Ｒｘ）１０６との間に接続される。ケーブル昇圧装置１１８は、多数の昇圧回路２０を含み、そのうち１つは、映像ソース装置（Ｔｘ）１０４からローケーブル１０８上を伝達される高速差動デジタルデータ信号を搬送するローケーブル１０８の二重シールドケーブル要素を終端する１つの昇圧回路２０である。
【００６１】
入力パドルボード１１４．ｊおよび出力パドルボード１１６．ｊは、小型のプリント回路基板（ＰＣＢ）として便利に構築される第１および第２の回路支持体（ｃｉｒｃｕｉｔ  ｃａｒｒｉｅｒｓ）を構成しており、ケーブル仕様にしたがって、たとえばＨＤＭＩもしくはＤｉｓｐｌａｙＰｏｒｔ規格にしたがって、コネクタコンタクトを機械的に支持するよう構成されてよい。
【００６２】
図３は、本発明の一実施形態に係る、第１入力パドルボード１１４．１としての回路支持体と、第１ローケーブル１０８．１と、第１出力パドルボード１１６．１とを備える、同軸技術に基づく基本同軸ＨＤＭＩケーブル１０２．１を示す。第１ローケーブル１０８．１は、４つの二重シールドケーブル要素、つまり、同軸対２０２、２０４、２０６、および２０８ならびに単一同軸線２１０として配列される合計９本の個別の同軸線を含む。同軸対２０２〜２０８のそれぞれは、内部信号配線がそれぞれ「ａ」および「ｂ」と示される２本の同軸線と、単一の導電路を形成するよう結合された２つのシールドとを有する。したがって、同軸対２０２〜２０８のそれぞれによって、上記したように（図１Ｂ参照）、３本の電気接続、つまり、１本の差動接続（配線「ａ」および「ｂ」）および１本のシングルエンド接続（結合されたシールド）が設けられる。単一同軸線２１０によっては、２本の導電路、つまり内部信号配線「ａ」およびシールドだけが設けられる。
【００６３】
ケーブル昇圧装置１１８は、第１出力パドルボード１１６．１内に設けられ、高速差動信号入力Ｄ２（極性Ｄ２＋、Ｄ２−）、Ｄ１（Ｄ１＋、Ｄ１−）、（Ｄ０＋、Ｄ０−）、およびＤ３（Ｄ３＋、Ｄ３−）と、対応する昇圧出力Ｃ２（極性Ｃ２＋、Ｃ２−）、Ｃ１（Ｃ１＋、Ｃ１−）、Ｃ０（Ｃ０＋、Ｃ０−）、およびＣ３（Ｃ３＋、Ｃ３−）とを有する。さらに、ケーブル昇圧装置１１８は、グラウンド入力および電力入力（ＧＮＤ、＋５Ｖ）と、プログラミング入力（Ｐｇｍ）とを有する。プログラミング入力は、製造時において、ケーブル昇圧装置１１８のパラメータをプログラムするべく用いられる。通常動作では、この入力はアクティブとされず、ケーブル昇圧装置１１８内の低抵抗を通じて効果的に接地される（ＧＮＤに接続される）。
【００６４】
ＨＤＭＩ信号は、高速差動データ信号もしくは補助信号のいずれかとして分類されうる。高速差動データ信号は、遷移時間最短差動信号伝送方式（ＴＭＤＳ）データ０、ＴＭＤＳデータ１、ＴＭＤＳデータ２、およびＴＭＤＳクロックを含む。補助信号は、コンシューマ・エレクトロニクス・コントロール（ＣＥＣ）、シリアル・クロック（ＳＣＬ）、シリアル・データ（ＳＤＡ）、ユーティリティ、およびホット・プラグ・ディテクト（ＨＰＤ）等のシングルエンド信号である。＋５Ｖパワーおよびデジタル・データ・チャネル（ＤＤＣ）／ＣＥＣグラウンド接続もケーブルを介して提供される。簡潔性を期して、＋５ＶパワーおよびＤＤＣ／ＣＥＣグラウンド接続は、本明細書では補助信号に含める。
【００６５】
映像ソース装置（Ｔｘ）１０４からの信号は、基本同軸ＨＤＭＩケーブル１０２．１の入力接続フィールド２１２に含まれる端子に接続され、映像シンク装置（Ｒｘ）１０６に伝達されるべく、ケーブルの反対側の端部の出力接続フィールド２１４に含まれる端子において復元される。入力接続フィールド２１２および出力接続フィールド２１４における標準的なＨＤＭＩ信号名と、対応する端子ラベルとが表１にリストされており、表１には、基本同軸ＨＤＭＩケーブル１０２．１にとっての好適な接続構成もしくは信号割り当てスキームが示される。
【００６６】
図３および表１を参照すると、４つのＨＤＭＩ高速差動データ信号（ＴＭＤＳデータ０、ＴＭＤＳデータ１、ＴＭＤＳデータ２、およびＴＭＤＳクロック）のそれぞれが、基本同軸ＨＤＭＩケーブル１０２．１を介して以下に記載されるようにルーティングされる。
【００６７】
ＴＭＤＳデータ２＋およびＴＭＤＳデータ２−を含むＴＭＤＳデータ２差動信号は、
−映像ソース装置（Ｔｘ）１０４から入力接続フィールド２１２におけるｔｘＤ２＋端子およびＴｘＤ２−端子に接続され；
−第１入力パドルボード１１４．１において、ローケーブルの入力、つまり、同軸対２０２の内部信号配線「ａ」および「ｂ」にルーティングされ；
−第１ローケーブル１０８．１の同軸対２０２の内部信号配線「ａ」および「ｂ」を通じてルーティングされ；
−第１ローケーブル１０８．１の端部から第１出力パドルボード１１６．１のケーブル昇圧装置１１８のＤ２＋入力およびＤ２−入力に結合され；
−ケーブル昇圧装置１１８のＣ２＋出力およびＣ２−出力から出力接続フィールド２１４のｒｘＤ２＋端子およびｒｘＤ２−端子に結合される。
【００６８】
その他３つのＨＤＭＩ高速差動データ信号（ＴＭＤＳデータ０、ＴＭＤＳデータ１、およびＴＭＤＳクロック）も同様に接続される。表１参照。
【００６９】
ＨＤＭＩ高速データ信号のシールド（ＴＭＤＳデータ０シールド、ＴＭＤＳデータ１シールド、ＴＭＤＳデータ２シールド、およびＴＭＤＳクロックシールド）および映像ソース装置（Ｔｘ）１０４からのＤＤＣ／ＣＥＣグラウンド信号は、入力接続フィールド２１２の端子ｔｘＤ０ｓ、ｔｘＤ１ｓ、ｔｘＤ２ｓ、ｔｘＣＫｓ、およびｔｘＧｎｄに接続され、かつ、第１入力パドルボード１１４．１の入力共通グラウンドノード２１６に結合され、入力共通グラウンドノード２１６は単一同軸線２１０のシールドに接続される。
【００７０】
第１出力パドルボード１１６．１では、単一同軸線２１０のシールドが、ケーブル昇圧装置１１８のグラウンド（ＧＮＤ）入力と、映像シンク装置（Ｒｘ）１０６のシールド接続およびグラウンド接続、つまり端子ｒｘＤ０ｓ、ｒｘＤ１ｓ、ｒｘＤ２ｓ、およびｒｘＧｎｄとに接続される出力共通グラウンドノード２１８に接続される。映像シンク装置（Ｒｘ）１０６のＴＭＤＳクロックシールドは、端子ｒｘＣＫｓを介してケーブル昇圧装置１１８のプログラミング（Ｐｇｍ）入力に接続され、したがって、ケーブル昇圧装置１１８の低抵抗を介して間接的に接地される。したがって、ケーブル昇圧装置１１８にアクセスするための余分な配線を設けることなく、昇圧ケーブルを構築した後に、ＨＤＭＩコネクタからケーブル昇圧装置をプログラムすることができる。または、ｒｘＣＫｓ端子は、出力共通グラウンドノード２１８において、その他のシールド接続とともに直接的に接地してもよい。
【００７１】
残りの補助信号（ＣＥＣ、ＳＣＬ、ＳＤＡ、ユーティリティ、＋５Ｖパワー、およびＨＰＤ）は、第１入力パドルボード１１４．１において、それぞれ、端子ｔｘＣＥＣ、ｔｘＳＣＬ、ｔｘＳＤＡ、ｔｘＵｔ、ｔｘＰＷＲ、およびｔｘＨＰＤに接続される。第１出力パドルボード１１６．１では、これらは、それぞれ端子ｒｘＣＥＣ、ｒｘＳＣＬ、ｒｘＳＤＡ、ｒｘＵｔ、ｒｘＰＷＲ、およびｒｘＨＰＤに接続される。昇圧装置１１８により昇圧されるＨＤＭＩ高速データ信号と比較すると、これらの補助ＨＤＭＩ信号は低速で、ケーブル昇圧装置１１８を迂回し、利便性良く同軸線の内部配線上もしくはシールド上を搬送してよい。未使用の「ユーティリティ」信号は、現在のところケーブルを搬送する必要はない。
【００７２】
補助信号のうち４つＣＥＣ、ＳＣＬ、＋５Ｖパワー、およびＨＰＤは、同軸対２０２〜２０８のシールド上を搬送され、ＴＭＤＳ信号のシールドも結合されるもう１つの補助信号（ＤＤＣ／ＣＥＣグラウンド）は、単一同軸線２１０のシールド上を搬送され、さらにもう１つの補助信号（ＳＤＡ）は、単一同軸線２１０の内部信号配線「ａ」上を搬送される。
【００７３】
基本同軸ＨＤＭＩケーブル１０２．１では、これら残りのＨＤＭＩ信号（ユーティリティ信号を除く）は、以下のようにケーブル上を搬送される。
端子ｔｘＣＥＣからのＣＥＣは、同軸対２０２の結合シールド（ｃｏｍｂｉｎｅｄ  ｓｈｉｅｌｄｓ）上を、端子ｒｘＣＥＣまで；
端子ｔｘＳＣＬからのＳＣＬは、同軸対２０４の結合シールド上を、端子ｒｘＳＣＬまで；
端子ｔｘＳＤＡからのＳＤＡは、同軸２１０の内部配線「ａ」上を、端子ｒｘＳＤＡまで；
ユーティリティ
端子ｔｘＰＷＲからの＋５Ｖパワーは、同軸対２０６の結合シールド上を、端子ｒｘＰＷＲまで；
端子ｔｘＨＰＤからのホット・プラグ・ディテクトは、同軸対２０８の結合シールド上を、端子ｒｘＨＰＤまで。
第１出力パドルボード１１６．１では、＋５Ｖパワーは、昇圧装置１１８の電力入力（＋５Ｖ）にも接続される。
【００７４】
【表１】
2013545212.tif 000003
【００７５】
図４は、本発明の別の実施形態に係る、第２入力パドルボード１１４．２と、第２ローケーブル１０８．２と、第２出力パドルボード１１６．２とを備える、シールド付きツイストペア（ＳＴＰ）技術に基づく基本ＳＴＰ  ＨＤＭＩケーブル１０２．２を示す。
【００７６】
各端子を有する入力接続フィールド２１２および出力接続フィールド２１４は、基本同軸ＨＤＭＩケーブル１０２．１から変更されていない。第２ローケーブル１０８．２は、５つのシールド付きツイストペア（ＳＴＰ）３０２、３０４、３０６、３０８、および３１０を含み、それぞれが図１Ａに示すシールドならびに２本の信号線「ａ」および「ｂ」を含む。第２ローケーブル１０８．２を介した接続へのＨＤＭＩ規格信号の割り当ては、第２入力パドルボード１１４．２および第２出力パドルボード１１６．２の設定により提供される。
【００７７】
第１ローケーブル１０８．１では１４（３×４＋１）本の経路が設けられるが、第２ローケーブル１０８．２では、ＳＴＰ３０２、３０４、３０６、３０８、および３１０によって、１５（３×５）本の異なる導電路が設けられる。したがって、信号割り当ての変更に有利に用いられる追加的な経路が利用可能である。これは、図４および表２に示されており、表では基本ＳＴＰ  ＨＤＭＩケーブル１０２．２の好適な構成がリストされている。
【００７８】
第１ローケーブル１０８．１と比較して、第２ローケーブル１０８．２では追加的な線が利用可能であるので、シールド接続（ＳＴＰ３０８のシールドに接続された共通ノード３１２）を用いて全ての高速信号（Ｄ０、Ｄ１、Ｄ２、およびＣＫ）のシールドを接続することができ、別のシールド接続（ＳＴＰ３１０のシールド）をグラウンド接続に用いることができる。
【００７９】
表１および表２に示す好適な構成は、ある程度の任意性があり、パドルボード上のスペースおよび各コネクタの設定を最良に利用するべく調整してよい。
【００８０】
【表２】
2013545212.tif 000004
【００８１】
本発明の本実施形態では、ローケーブルはＳＴＰだけを含み、つまり、映像ソース装置と映像シンク装置との間にその他の配線を有さない。
【００８２】
［ＨＥＡＣ機能］
上記した２００９年６月５日付けのＨＤＭＩ仕様第１．４版の追補２では、「ＨＤＭＩイーサネット（登録商標）オーディオ・リターン・チャンネル」（ＨＥＡＣ）が規定されている。ＨＥＡＣチャネルは、ＨＥＡＣ対応ＨＤＭＩケーブル内を、差動データ信号として、つまり、ＨＤＭＩ規格信号セットのうちのホット・プラグ・ディテクト（ＨＰＤ）信号と上記では未使用の「ユーティリティ」信号にそれぞれ取って代わる正極性信号ＨＥＡＣ＋および負極性信号ＨＥＡＣ−として搬送される。ＨＥＡＣチャネルは、ケーブル昇圧装置１１８による昇圧を必要としない受動チャネルである。しかし、そのインピーダンスは慎重に制御される必要があり、したがって、各極性を同軸線で伝達することにより、または両極性をシールド付きツイストペア（ＳＴＰ）上で伝達することにより、シールドに内包するべきである。したがって、ＨＥＡＣチャネルに適合するよう基本ＨＤＭＩケーブル（１０２．１および１０２．２）を変更するには、パドルボードおよびローケーブルにおいて、接続の変更（ＨＰＤおよび上記では未接続の「ユーティリティ」信号に取って代わるＨＥＡＣチャネルを追加する）だけが必要である。
【００８３】
図５は、本発明のさらに別の実施形態に係る、第３入力パドルボード１１４．３、第３ローケーブル１０８．３、および第３出力パドルボード１１６．３を備え、ＨＥＡＣチャネルの搬送に対応した、同軸技術に基づくＨＥＡＣ対応同軸ＨＤＭＩケーブル１０２．３を示す。
【００８４】
映像ソース装置（Ｔｘ）１０４からのＨＥＡＣ対応ＨＤＭＩ信号セットに含まれる信号は、ＨＥＡＣ対応同軸ＨＤＭＩケーブル１０２．３のＨＥＡＣ対応入力接続フィールド４１２に接続され、映像シンク装置（Ｒｘ）１０６に伝達されるべく、ケーブルの反対側の端部のＨＥＡＣ対応出力接続フィールド４１４において復元される。ＨＥＡＣ対応入力フィールド４１２およびＨＥＡＣ対応出力フィールド４１４の変更は、入力フィールド２１２および出力フィールド２１４における名称の変更に関連し、対応する端子の名称変更を反映しており、入力フィールド２１２および出力フィールド２１４のｔｘＵｔ、ｒｘＵｔ、ｔｘＨＰＤ、およびｒｘＨＰＤは、変更後入力フィールド４１２および変更後出力フィールド４１４においてｔｘＨＥＡＣ−、ｒｘＨＥＡＣ−、ｔｘＨＥＡＣ＋、およびｒｘＨＥＡＣ＋となる。
【００８５】
第３ローケーブル１０８．３は、高速デジタルデータ信号を搬送するための４つの二重シールドケーブル要素、つまり、同軸対４０２、４０４、４０６、および４０８、および差動補助信号を搬送するためのもう１つの二重シールドケーブル要素、つまり同軸対４１０として配列された合計１０本の個別の同軸線を含む。同軸対４０２〜４１０のそれぞれは、「ａ」および「ｂ」として示される内部信号配線による２本の同軸線と、各同軸対が単一の導電路を形成するよう互いに結合された２つのシールドとを含む。したがって、上記したように（図１Ｂ参照）、同軸対４０２〜４１０のそれぞれによって、３本の電気接続、つまり、１本の差動接続（配線「ａ」および「ｂ」）と、１本のシングルエンド接続（結合シールド）とが提供される。
【００８６】
第３入力パドルボード１１４．３および第３出力パドルボード１１６．３において利用可能なケーブル接続へのＨＤＭＩ信号の割り当ては、第１入力パドルボード１１４．１および第１出力パドルボード１１６．１で用いられる割り当てとそれぞれ類似する。映像ソース装置１０４から入力される差動ＨＤＭＩ高速データチャネルＴＭＤＳＤ２、ＴＭＤＳＤ１、ＴＭＤＳＤ０、およびＴＭＤＳクロックの接続は変更されておらず、これらはそれぞれ同軸対４０２、４０４、４０６、および４０８を介してケーブル昇圧装置１１８の対応する入力に接続される。
【００８７】
差動ＨＥＡＣチャネルは、同軸対４１０を介して接続され、ケーブル昇圧装置１１８を迂回する。同軸対４０２、４０４、４０６、４０８、および４１０のシールドは、それぞれＨＤＭＩ信号ＣＥＣ、ＳＣＬ、＋５Ｖパワー、ＳＤＡ、およびＤＤＣ／ＣＥＣグラウンドの導体として用いられる。
【００８８】
【表３】
2013545212.tif 000005
【００８９】
ＨＤＭＩ高速データチャネルＴＭＤＳＤ２、ＴＭＤＳＤ１、ＴＭＤＳＤ０、およびＴＭＤＳクロックの入力シールドは、ケーブルに含まれる同軸対４１０のシールドを介してＤＤＣ／ＣＥＣグラウンド接続に結合され、これにより、ＨＤＭＩ高速データチャネルＴＭＤＳＤ２、ＴＭＤＳＤ１、およびＴＭＤＳＤ０の出力シールドへの接続が提供される。ＴＭＤＳクロックの出力シールド（ｒｘＣＫｓ）は、基本同軸ＨＤＭＩケーブル１０２．１を参照して上記したように、ケーブル昇圧装置１１８のプログラミングピン（Ｐｇｍ）に接続される。
【００９０】
ＨＥＡＣ対応同軸ＨＤＭＩケーブル１０２．３の好適なＨＤＭＩ信号ルーティングが表３にリストされている。
【００９１】
図６は、本発明の第４実施形態に係る、第４入力パドルボード１１４．４、第４ローケーブル１０８．４、および第４出力パドルボード１１６．４を備え、ＨＥＡＣチャネルの搬送に対応した、シールド付きツイストペア（ＳＴＰ）技術に基づくＨＥＡＣ対応ＳＴＰ  ＨＤＭＩケーブル１０２．４を示す。
【００９２】
各端末を有するＨＥＡＣ対応ＳＴＰ  ＨＤＭＩケーブル１０２．４のＨＥＡＣ対応入力接続フィールド４１２およびＨＥＡＣ対応出力接続フィールド４１４は、ＨＥＡＣ対応同軸ＨＤＭＩケーブル１０２．３から変更されていない。第４ローケーブル１０８．４は、５つのシールド付きツイストペア（ＳＴＰ）５０２、５０４、５０６、５０８、および５１０を含み、それぞれは、図１Ａで示したように、シールドならびに２本の信号配線「ａ」および「ｂ」を含む。第４ローケーブル１０８．４を介する接続へのＨＤＭＩ信号の割り当ては、第４入力パドルボード１１４．４および第４出力パドルボード１１６．４の設定により提供される。
【００９３】
第４ローケーブル１０８．４のＳＴＰ５０２、５０４、５０６、５０８、および５１０によって、第３ローケーブル１０８．３と同数である１５（３×５）本の異なる導電路が設けられる。したがって、シールドを含むシールド付きツイストペアへの各信号の割り当ては同様に行うことができる。同じく、その他のＳＴＰに基づく実施形態（基本ＳＴＰ  ＨＤＭＩケーブル１０２．２）から割り当てスキームの一部を借りて、ＨＥＡＣ信号に対応するように適切に変更することができる。
【００９４】
ここでは、別の接続割り当てスキームを提示して、設定選択において享受できるかなりの程度の自由度を説明する。ＨＥＡＣ対応ＳＴＰ  ＨＤＭＩケーブル１０２．４での好適な割り当てを図６および表４に示す。
【００９５】
上記したように、ケーブルにおける信号線（ｓｉｇｎａｌ  ｌｅａｄｓ）の好適な割り当てが表１、表２、表３、および表４に示される。これらは、ある程度の任意性を有する。「＋５Ｖパワー」接続および「ＤＤＣ／ＣＥＣグラウンド」接続は、シールド上で好適に搬送され、ＨＤＭＩ高速データ信号（ＴＭＤＳＤ０、ＴＭＤＳＤ１、ＴＭＤＳＤ２、およびＴＭＤＳクロック）は、配線の種類により、シールド導体、つまり同軸線の内部導体またはＳＴＰのツイスト信号配線上で必ず搬送されるべきであり、より低速の接続（ＣＥＣ、ＳＣＬ、ＳＤＡ、ユーティリティ、およびＨＰＤ）は、パドルボード上のスペースおよび各コネクタの設定を最良に利用するべく調整されうる構成では、内部／信号配線またはシールド上を搬送してよい。
【００９６】
ケーブル昇圧装置１１８のプログラミングピン（Ｐｇｍ）にアクセスするための受信側のＴＭＤＳクロックシールド接続（ｒｘＣＫｓ）の利用は、完全に構築された昇圧ＨＤＭＩケーブルにおいて当該装置をプログラミングするために便利である。この特性が必要でないなら、ＴＭＤＳクロックシールドは、ケーブルの両端で、その他のＴＭＤＳ信号シールドとともに接地されるべきである。
【００９７】
【表４】
2013545212.tif 000006
【００９８】
［ＤｉｓｐｌａｙＰｏｒｔケーブル］
図７は、本発明の実施形態に係る、第５入力パドルボード１１４．５、第５ローケーブル１０８．５、および第５出力パドルボード１１６．５を備える、同軸技術に基づいた同軸ＤｉｓｐｌａｙＰｏｒｔケーブル１０２．５を示す。第５ローケーブル１０８．５は、５つの同軸対６０２、６０４、６０６、６０８、および６１０として配列された合計１０本の個別の同軸線を含む。同軸対６０２〜６１０のそれぞれは、「ａ」および「ｂ」として示される内部信号配線による２本の同軸線と、単一の導電路を形成するように互いに結合された２つのシールドとを含む。したがって、上記したように（図１Ｂ参照）、同軸対６０２〜６０８のそれぞれによって、３本の電気接続、つまり、１本の差動接続（配線「ａ」および「ｂ」）と、１本のシングルエンド接続（結合シールド）とが提供される。
【００９９】
上記した昇圧ＨＤＭＩケーブルに含まれるのと同じケーブル昇圧装置１１８が第５出力パドルボード１１６．５に含まれる。
【０１００】
映像ソース装置（Ｔｘ）１０４からのＤｉｓｐｌａｙＰｏｒｔ規格信号は、同軸ＤｉｓｐｌａｙＰｏｒｔケーブル１０２．５の入力接続フィールド６１２に含まれる端子に接続され、映像シンク装置（Ｒｘ）１０６に伝達されるべく、ケーブルの反対側の端部において、出力接続フィールド６１４に含まれる端子で復元される。入力接続フィールド６１２および出力接続フィールド６１４におけるＤｉｓｐｌａｙＰｏｒｔ信号の名称および対応する端子の表示が表５にリストされており、そこでは、同軸ＤｉｓｐｌａｙＰｏｒｔケーブル１０２．５の好適な接続構成もしくは信号割り当てスキームが示されている。
【０１０１】
図７および表５を参照すると、４本のＤｉｓｐｌａｙＰｏｒｔ高速差動データレーンＭＬ−Ｌ０、ＭＬ−Ｌ１、ＭＬ−Ｌ２、およびＭＬ−Ｌ３が、以下に記載されるように、同軸ＤｉｓｐｌａｙＰｏｒｔケーブル１０２．５をルーティングされる。
【０１０２】
正極性（ｐ）および負極性（ｎ）を有するメインラインレーン０差動信号は、
−映像ソース装置（Ｔｘ）１０４から入力接続フィールド６１２のｔｘＭＬ＿Ｌ０＋端子およびｔｘＭＬ＿Ｌ０−端子に接続され；
−第５入力パドルボード１１４．５において同軸対６０２の内部信号配線「ａ」および「ｂ」にルーティングされ；
−第５ローケーブル１０８．５内を、第５ローケーブル１０８．５の同軸対６０２の内部信号配線「ａ」および「ｂ」上をルーティングされ；
−第５ローケーブル１０８．５の端部から、第５出力パドルボード１１６．５のケーブル昇圧装置１１８のＤ０＋入力およびＤ０−入力に結合され；
−ケーブル昇圧装置１１８のＣ０＋出力およびＣ０−出力から、出力接続フィールド６１４のｒｘＭＬ＿Ｌ０＋端子およびｒｘＭＬ＿Ｌ０−端子に結合される。
【０１０３】
その他の３本のメインライン差動データ信号（メインラインレーン１、メインラインレーン２、およびメインラインレーン３）も同様に接続される。表５参照。
【０１０４】
ｔｘＧＮＤ０、ｔｘＧＮＤ１、ｔｘＧＮＤ２、ｔｘＧＮＤ３、およびｔｘＧＮＤａｕｘとして示される入力ＤｉｓｐｌａｙＰｏｒｔコネクタ、ならびに「リターン」（ｔｘＧＮＤｐｗｒ）、つまりパワーリターン端子のグラウンド接続は、すべて一緒に、第５入力パドルボード１１４．５の入力共通グラウンドノード６１６に結合され、同軸対６０４のシールドに接続される。
【０１０５】
第５出力パドルボード１１６．５において、同軸対６０４のシールドは、ケーブル昇圧装置１１８のグラウンド（ＧＮＤ）入力と、映像シンク装置（Ｒｘ）１０６のシールドおよびグラウンド接続、つまり、端子ｒｘＧＮＤ０、ｒｘＧＮＤ１、ｒｘＧＮＤ２、ｒｘＧＮＤａｕｘ、およびｒｘＧＮＤｐｗｒとに接続された出力共通グラウンドノード６１８に接続される。例外は、端子ｒｘＧＮＤ３を介してケーブル昇圧装置１１８のプログラミング（Ｐｇｍ）入力に接続され、したがって間接的にだけ接地される受信側の第４グラウンドピンである。したがって、ケーブル昇圧装置１１８にアクセスするための余分な配線を設けることなく、昇圧ケーブルを構築した後に、コネクタからケーブル昇圧装置をプログラムすることができる。または、ｒｘＧＮＤ３端子は、出力共通グラウンドノード６１８において、その他のグラウンド接続とともに接地してもよい。
【０１０６】
その他のＤｉｓｐｌａｙＰｏｒｔ信号ＣＯＮＦＩＧ１、ＣＯＮＦＩＧ２、ＡＵＸチャネル（ｐ）および（ｎ）、ホット・プラグ、ならびにＤＰ＿ＰＷＲは、第５入力パドルボード１１４．５において、端子ｔｘＣＯＮＦＩＧ１、ｔｘＣＯＮＦＩＧ２、ｔｘＡｕｘＣｈ＋およびｔｘＡｕｘＣｈ−、ｔｘＨＰＤ、ならびにｔｘＤＰ＿ＰＷＲにそれぞれ接続される。第５出力パドルボード１１６．５において、これらは、端子ｒｘＣＯＮＦＩＧ１、ｒｘＣＯＮＦＩＧ２、ｒｘＡｕｘＣｈ＋およびｒｘＡｕｘＣｈ−、ｒｘＨＰＤ、ならびにｒｘＤＰ＿ＰＷＲにそれぞれ接続される。昇圧装置１１８により昇圧されるメインライン高速信号と比較すると、これらのその他のＤｉｓｐｌａｙＰｏｒｔ信号は低速であり、ケーブル昇圧装置１１８を迂回し、利便性良く同軸線の内部配線上もしくはシールド上を搬送してよい。しかし、ＡＵＸチャネル信号は、やや高速であり、インピーダンス制御された配線を搬送する必要がある。本発明の本実施形態では、インピーダンス制御された配線として同軸対６１０が選択される。
【０１０７】
同軸ＤｉｓｐｌａｙＰｏｒｔケーブル１０２．５では、残りの信号は、ケーブル上を以下のように搬送される。
ｔｘＣＯＮＦＩＧ１端子からのＣＯＮＦＩＧ１は、同軸対６０６の結合シールド上をｒｘＣＯＮＦＩＧ１端子まで；
ｔｘＣＯＮＦＩＧ２端子からのＣＯＮＦＩＧ２は、同軸対６０８の結合シールド上をｒｘＣＯＮＦＩＧ２端子まで；
ｔｘＨＰＤ端子からのホット・プラグは、同軸対６１０の結合シールド上をｒｘＨＰＤ端子まで；
ｔｘＤＰ＿ＰＷＲ端子からのＤＰ＿ＰＷＲは、同軸対６０２の結合シールド上をｒｘＤＰ＿ＰＷＲ端子まで。
【０１０８】
第５出力パドルボード１１６．５では、ＤＰ＿ＰＷＲは、ケーブル昇圧装置１１８のパワー入力（＋５Ｖ）にも接続される。ＤＰ＿ＰＷＲの電圧がＨＤＭＩ＋５Ｖパワーより低くなるが、同一のケーブル昇圧装置１１８を、ＨＤＭＩの電圧およびＤｉｓｐｌａｙＰｏｒｔの電圧の両方で動作するよう設計もしくはプログラムしてよい。または、ＤｉｓｐｌａｙＰｏｒｔ専用のケーブル昇圧装置１１８を開発してもよい。
【０１０９】
【表５】
2013545212.tif 000007
【０１１０】
図８は、本発明の実施形態に係る、第６入力パドルボード１１４．６、第６ローケーブル１０８．６、および第６出力パドルボード１１６．６を備える、シールド付きツイストペア（ＳＴＰ）技術に基づくＳＴＰ  ＤｉｓｐｌａｙＰｏｒｔケーブル１０２．６を示す。第６ローケーブル１０８．６は、合計５つのＳＴＰ７０２、７０４、７０６、７０８、および７１０を含み、それぞれが、図１Ａに示すように、シールドと、２本の信号配線「ａ」および「ｂ」とを含む。
【０１１１】
第６ローケーブル１０８．６を介する接続へのＤｉｓｐｌａｙＰｏｒｔ信号の割り当ては、第６入力パドルボード１１４．６および第６出力パドルボード１１６．６の設定により提供され、図７の同軸ＤｉｓｐｌａｙＰｏｒｔケーブル１０２．５での割り当てと類似している。ＳＴＰ信号割り当てが図８に示されているが、図８は、同軸対６０２〜６１０でなく、シールド付きツイストペア（ＳＴＰ）７０２、７０４、７０６、７０８、および７１０を示している点を除いて図７と同じである。第６入力パドルボード１１４．６および第６出力パドルボード１１６．６は対応する第５入力パドルボード１１４．５および第５出力パドルボード１１６．５と類似した接続性を有するが、パドルボード上でのＳＴＰと同軸対との終端配置の違いに対応するべく、異なる機械的特性を有しうる。
【０１１２】
補助信号ＣＯＮＦＩＧ１、ＣＯＮＦＩＧ２、ホット・プラグ、グラウンド、およびＤＰ＿ＰＷＲの全ては、パドルボード上のスペースおよび各コネクタの設定を最良に活用するための調整が可能な構成にとって便利なように同軸線もしくはＳＴＰ線のシールドのいずれかに割り当ててよい。
【０１１３】
［低配線数についての要約］
ＨＤＭＩケーブルもしくはＤｉｓｐｌａｙＰｏｒｔケーブル等のほう圧高速デジタル映像ケーブルに含まれる配線の数は、アクティブ信号と、電力およびグラウンドとをそれぞれ搬送するシールドを用いることにより、従来技術における１４本以上から９本もしくは１０本に減らされてきている。この数の減少は、高速データ線上での有害となりうるコモンモード妨害の除去を補償する昇圧装置により可能となっている。配線数の減少によって、コネクタにおける配線終端のための位置合わせが簡素になる。本来の高速ケーブルでは、同軸線もしくはシールド付きツイストペアと標準の配線とを組み合わせて用いる。本発明では、同軸かまたはＳＴＰかの単一の種類の配線だけを用いて全ての信号を搬送することにより、高速ケーブルの構築コストが削減される。これにより、ケーブルの構築が大幅に簡単になり、終端処理が１工程だけで済み、結果的にコストが削減される。
【０１１４】
［低インピーダンスケーブル］
上記の低配線数技術を通じて得られる利点に加え、本明細書に記載した昇圧デジタル映像ケーブル１０２のいずれかで高速データ信号を搬送するべく、規格で示される公称配線インピーダンスよりもインピーダンスが低い同軸線もしくはシールド付きツイストペア（ＳＴＰ）を用いることにより、さらなるコスト利益が得られる。
【０１１５】
図９は、標準同軸９０２、外径縮小同軸９０４、およびコア径増大同軸９０６を含む典型的な設計の選択肢間の比較を示すべく、３つの同軸線断面を示す。標準同軸９０２は、外側絶縁被覆９０２．ａ、シールド９０２．ｂ、内側絶縁体９０２．ｃ、およびコア配線（コア）９０２．ｄを含む。外径縮小同軸９０４は、外側絶縁被覆９０４．ａ、シールド９０４．ｂ、内側絶縁体９０４．ｃ、およびコア配線（コア）９０４．ｄを含む。コア径増大同軸９０６は、外側絶縁被覆９０６．ａ、シールド９０６．ｂ、内側絶縁体９０６．ｃ、およびコア配線（コア）９０６．ｄを含む。
【０１１６】
同軸線の特性インピーダンスＺ０は、ケーブルの寸法により、より具体的には、シールド内径に対するコア配線径の比と、内側絶縁材料の誘電率とにより決まる。
【０１１７】
特性インピーダンスが５０オームの細い標準同軸９０２のコア９０２．ｄは、直径が約７８μｍの米国ワイヤゲージ（ＡＷＧ）規格の配線であり、結果として、標準同軸９０２の全体径が約２１０μｍである。
【０１１８】
より小さい「非標準的」な特性インピーダンスを同軸が保持できるようにすることで、たとえば、より細いコア配線を使用することなく同軸の外径を縮小させたり、または外径を保ったままコア径を大きくしたりすることが、絶縁材料を変更することなく可能となる。
【０１１９】
外径縮小同軸９０４のコア９０４．４は、標準同軸９０２のコア９０２．４と同じワイヤゲージであるが、シールド９０４．ｃを小さくして、外径縮小同軸９０４の特性インピーダンスが３５オームとなるようになっている。これにより、外径縮小同軸９０４の全体径が約１４５μｍとなり、特性インピーダンスが５０オームの標準同軸９０２から約３０％の縮小となる。
【０１２０】
外径を変更しない場合は、より太いコア配線を用いてよい。シールド９０６．ｂは、したがってコア径増大同軸９０６の全体径は、標準同軸９０２の全体径に一致する。しかし、コア径増大同軸９０６の特性インピーダンスが３５オームとなるようコア９０６．ｄの太さを増大させており、結果として、コア径増大同軸９０６のコア９０６．ｄの配線サイズがＡＷＧ４０となっている。ＡＷＧ３５は、約１４３μｍの配線径に対応しており、太さはほぼ８０％の増大となっている。
【０１２１】
本願発明者らは、上記のＨＤＭＩケーブルおよびＤｉｓｐｌａｙＰｏｒｔケーブル、つまり、基本同軸ＨＤＭＩケーブル１０２．１、ＨＥＡＣ対応同軸ＨＤＭＩケーブル１０２．３、および同軸ＤｉｓｐｌａｙＰｏｒｔケーブル１０２．５、ならびにその他の昇圧デジタル映像ケーブルを実施する際に、標準的な５０オームの同軸から外れることによる影響を考慮した。要約すると、映像ソース装置１０４は、同軸対を介して高速差動信号をケーブル昇圧装置１１８に伝送し、ケーブル昇圧装置は、信号を平均化および昇圧してから、映像シンク装置１０６に伝送する。
【０１２２】
映像ソース装置１０４は、差動的に１００オームの特性インピーダンスを示すケーブル上で高速差動信号を伝送するよう構成されている。これは、二重同軸線（同軸対）の場合は、５０オームの２回分である。同じく、映像シンク装置１０６の入力回路は、一致した１００オームの差動終端をケーブルに提示する。
【０１２３】
インピーダンスを減少させた同軸を含む昇圧ケーブルの場合、ケーブル昇圧装置１１８は、映像シンク装置１０６に昇圧信号を伝送するための適切な出力回路となる。ケーブル昇圧装置１１８の入力終端は、インピーダンス減少ケーブルを、適切なインピーダンスで、たとえば、作動的に３５オームまたは７０オームで終端するよう調整することができる。
【０１２４】
映像ソース装置１０４は、電流源として構成されており、いかなるケーブルインピーダンスにも直接的に伝送することができる。ケーブルが受信端、つまりケーブル昇圧装置１１８で正しく終端される限り、望ましくない信号反射は生じない。しかし、ＨＤＭＩケーブルおよびＤｉｓｐｌａｙＰｏｒｔケーブルの適合性試験では、一方向アクティブケーブルではソース端において、受動ケーブルでは両端において、公称１００オームの差動インピーダンスを示すことがケーブルに要求される。
【０１２５】
図１０は、第１入力パドルボード１１４．１に取って代わる低インピーダンス入力パドルボード１１４．１０を除いて、図３の基本同軸ＨＤＭＩケーブル１０２．１と同一の低インピーダンス同軸ＨＤＭＩケーブル１０２．１０を示す。低インピーダンス入力パドルボード１１４．１０は、入力接続フィールド２１２の高速信号端子ｔｘＤ２＋、ｔｘＤ２−、ｔｘＤ１＋、ｔｘＤ１−、ｔｘＤ０＋、ｔｘＤ０−、ｔｘＣＫ＋、およびｔｘＣＫ−と、第１ローケーブル１０８．１の対応する同軸対２０２〜２０８の内部信号配線「ａ」および「ｂ」との間に挿入された８つのパディング抵抗（ｐａｄｄｉｎｇ  ｒｅｓｉｓｔｏｒｓ）Ｒ１〜Ｒ８を除いて、第１入力パドルボード１１４．１と同じ接続性を有する。
【０１２６】
１対のパディング抵抗を、ＴＭＤＳ信号の内部信号配線「ａ」および「ｂ」のそれぞれと直列になるように挿入する必要がある。各抵抗の抵抗値は、各同軸対（二重シールドケーブル要素）２０２〜２０８の内部信号配線（シールド導体）と直列につながれる２つのパディング抵抗の合計の抵抗値が、規定されたケーブルの公称インピーダンスと同軸対のインピーダンスとの差と等しくなるように導出され、たとえば、１５オームのパディング抵抗をそれぞれが有する、インピーダンスが３５オームの２本の同軸線を同軸対として用いて１００オームの公称インピーダンスが得られる。
【０１２７】
パディング抵抗Ｒ１〜Ｒ８は、設けなくても機能は失われないが、低インピーダンス同軸ＨＤＭＩケーブル１０２．１０の規定差動入力インピーダンスである１００オームに適合するべく設けられている。
【０１２８】
第１ローケーブル１０８．１の同軸対２０２〜２０８が、たとえば、３５オームの模範的な特性インピーダンスをそれぞれ有する外径縮小同軸９０４またはコア径増大同軸９０６等の低インピーダンス同軸線から形成される場合、パディング抵抗と組み合わされた各同軸対が、入力接続フィールド２１２の差動端子に対して２×５０＝１００オームのインピーダンスを示すように、各パディング抵抗Ｒ１〜Ｒ８の値は、５０−３５＝１５オームであるべきである。一般的に、各パディング抵抗Ｒ１〜Ｒ８の抵抗は、規定された公称インピーダンス（たとえば、ＨＤＭＩでは１００オーム）の半分の値と、同軸の実際の特性インピーダンスとの差であるＸオームであるべきである。
【０１２９】
同様に、ＨＥＡＣ対応同軸ＨＤＭＩケーブル１０２．３（図５）および同軸ＤｉｓｐｌａｙＰｏｒｔケーブル１０２．５（図７）等のその他の同軸に基づく高速映像ケーブルも、低インピーダンス同軸ケーブルに対応するべく、それぞれの入力パドルボードにパディング抵抗Ｒ１〜Ｒ８を付加されることにより、簡単に変更される。
【０１３０】
高速差動データ信号以外の信号、たとえば、ＨＤＭＩのＨＥＡＣチャネル、ＤｉｓｐｌａｙＰｏｒｔのＡＵＸチャネル等は、ケーブル昇圧装置１１８によって昇圧されないことは、指摘されるに相当する。これらの信号を搬送する同軸対（ＨＥＡＣでは同軸対４１０、ＡＵＸチャネルでは同軸対６１０）は、低インピーダンス型とすることができず、通常の５０オーム同軸でなければならない。
【０１３１】
インピーダンス減少同軸ケーブルと同じ技術は、高速差動データ信号を伝達するべくシールド付きツイストペア（ＳＴＰ）を用いる昇圧ＨＤＭＩケーブルおよび昇圧ＤｉｓｐｌａｙＰｏｒｔケーブルにも適用される。ＳＴＰの特性インピーダンスは、裸線の径に対する絶縁線の径の比と、絶縁材料の誘電特性とによって決まる。
【０１３２】
低インピーダンスＳＴＰは、裸線の径に対する絶縁厚さを減らすことにより簡単に作成される。これは、もちろん、シールドのサイズにも影響する。裸線の太さを変えずにＳＴＰ配線の絶縁厚さを約３０％減らすことにより、ＳＴＰの（差動）インピーダンスは、公称の１００オームから７０オームに低下する。この方法でＳＴＰケーブルのサイズを縮小させる代わりに、もともとの全体サイズを維持したまま裸線の太さを増大させることも可能である。
【０１３３】
基本ＳＴＰ  ＨＤＭＩケーブル１０２．２（図４）、ＨＥＡＣ対応ＳＴＰ  ＨＤＭＩケーブル１０２．４（図６）、およびＳＴＰＤｉｓｐｌａｙＰｏｒｔケーブル１０２．６等の、ＳＴＰ技術に基づく昇圧映像ケーブルのいずれかに低インピーダンスＳＴＰを採用する場合、同軸に基づくケーブルと同様の考慮が当てはまり、ケーブル昇圧装置１１８の入力回路は、ＳＴＰインピーダンスに適合するようプログラムされるべきであり、入力パドルボードは、パディング抵抗を含むよう変更されるべきである。同軸の場合に適用される決まりと類似して、ＳＴＰにおける各パディング抵抗Ｒ１〜Ｒ８の抵抗値は、規定公称インピーダンス（たとえば、ＨＤＭＩでは１００オーム）とＳＴＰの実際の差動インピーダンスとの差の半分の値であるＹであるべきである。
【０１３４】
昇圧装置を備える同軸またはＳＴＰに基づくケーブルにおいて特性インピーダンスを低下させることには、材料節約、柔軟性の向上等のためにケーブルのサイズを小さくするべく、または取り扱い性の向上および材料コスト削減のためにケーブルの全体サイズを小さくせずに配線のサイズを大きくするべく活用できる多くの利点がある。実際に、太い配線のほうが、非常に細い配線よりも製造コストが低下しうることに注意されたい。
【０１３５】
本発明の多様な模範的実施形態を開示したが、本発明の真の範囲から逸脱することなく、本発明の利点のいくつかを達成する多様な変更および改変を行うことができることが当業者には明らかであろう。
【０１３６】
本発明を理解した人であれば、上記した内容の代替的な構造および代替的な実施形態もしくは変形に想到するであろうが、それらは全て、以下の特許請求の範囲に規定される本発明の範囲に含まれるものとする。
【図１Ａ】
2013545212.tif 000008
【図１Ｂ】
2013545212.tif 000009
【図２】
2013545212.tif 000010
【図３】
2013545212.tif 000011
【図４】
2013545212.tif 000012
【図５】
2013545212.tif 000013
【図６】
2013545212.tif 000014
【図７】
2013545212.tif 000015
【図８】
2013545212.tif 000016
【図９】
2013545212.tif 000017
【図１０】
2013545212.tif 000018
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
ケーブル仕様にしたがって、映像ソース装置と映像シンク装置との間で１つ以上の高速差動デジタルデータ信号および１つ以上の補助信号を搬送するデジタル映像ケーブルであって、
前記１つ以上の高速差動デジタルデータ信号を昇圧する昇圧装置と、
１つ以上の二重シールドケーブル要素を有するローケーブルであって、各二重シールドケーブル要素が２つのシールド導体およびシールドを含むローケーブルと
を備え、
少なくとも１つの二重シールドケーブル要素の前記２つのシールド導体は、前記映像ソース装置と前記昇圧装置との間を延伸し、
前記１つ以上の二重シールドケーブル要素の前記シールドは、前記映像ソース装置と前記映像シンク装置との間を延伸し、
前記少なくとも１つの二重シールドケーブル要素の前記シールドは、補助信号を搬送するよう構成され、
前記少なくとも１つの二重シールドケーブル要素の前記２つのシールド導体は、高速差動デジタルデータ信号を搬送するよう構成される、
デジタル映像ケーブル。
【請求項２】
前記１つ以上の二重シールドケーブル要素のうちいくつか、または、全ては、二重同軸要素であり、各二重同軸要素は、シールドが互いに結合された２つの同軸線を含み、各同軸線は、１つのシールド導体を内包する請求項１に記載のデジタル映像ケーブル。
【請求項３】
前記ローケーブルは、１つのシールド導体を内包するシールドを含み、かつ、前記映像ソース装置と前記映像シンク装置との間を延伸し、かつ、前記シールドが、別の補助信号を搬送するよう構成され、かつ、前記シールド導体がさらに別の補助信号を搬送するよう構成された同軸線をさらに有する請求項１に記載のデジタル映像ケーブル。
【請求項４】
前記１つ以上の二重シールドケーブル要素のうちいくつか、または、全ては、シールド付きツイストペア（ＳＴＰ）であり、各シールド付きツイストペアは、前記２つのシールド導体を内包するシールドを含む請求項１に記載のデジタル映像ケーブル。
【請求項５】
前記映像ソース装置を前記ローケーブルに接続する第１回路支持体であって、前記映像ソース装置から前記少なくとも１つの二重シールドケーブル要素の前記２つのシールド導体に、前記高速差動デジタルデータ信号を接続する端子を有する第１回路支持体をさらに備える請求項１から４のいずれか１項に記載のデジタル映像ケーブル。
【請求項６】
前記第１回路支持体は、前記映像ソース装置から前記少なくとも１つの二重シールドケーブル要素の前記シールドに少なくとも１つの補助信号を接続する端子をさらに有する請求項５に記載のデジタル映像ケーブル。
【請求項７】
前記ローケーブルを前記映像シンク装置に接続する第２回路支持体であって、前記昇圧装置を有する第２回路支持体をさらに備える請求項６に記載のデジタル映像ケーブル。
【請求項８】
前記昇圧装置は、前記１つ以上の高速差動デジタルデータ信号を平均化および昇圧する平均化装置および増幅器を有する請求項７に記載のデジタル映像ケーブル。
【請求項９】
前記ケーブル仕様は、高品位マルチメディアインターフェース（ＨＤＭＩ）規格である請求項８に記載のデジタル映像ケーブル。
【請求項１０】
前記ケーブル仕様は、ＤｉｓｐｌａｙＰｏｒｔ規格である請求項９に記載のデジタル映像ケーブル。
【請求項１１】
前記１つ以上の高速差動デジタルデータ信号は、遷移時間最短差動信号伝送方式（ＴＭＤＳ）信号であり、前記１つ以上の補助信号は、コンシューマ・エレクトロニクス・コントロール（ＣＥＣ）信号、シリアル・クロック（ＳＣＬ）信号、ホット・プラグ・ディテクト（ＨＰＤ）信号、および＋５Ｖパワー信号である請求項９に記載のデジタル映像ケーブル。
【請求項１２】
４つの二重シールドケーブル要素の前記２つのシールド導体は、前記映像ソース装置と前記昇圧装置との間を延伸し、
前記４つの二重シールドケーブル要素の前記２つのシールド導体は、遷移時間最短差動信号伝送方式（ＴＭＤＳ）信号である４つの高速差動デジタルデータ信号を搬送するよう構成され、
他の１つの二重シールドケーブル要素の前記２つのシールド導体は、前記映像ソース装置と前記映像シンク装置との間を延伸し、ＨＤＭＩイーサネット（登録商標）オーディオ・リターン・チャンネル（ＨＥＡＣ）差動信号である補助信号を搬送するよう構成され、
前記４つの二重シールドケーブル要素および前記他の１つの二重シールドケーブル要素の前記シールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５Ｖパワー信号である補助信号を搬送するよう構成される
請求項９または１１に記載のデジタル映像ケーブル。
【請求項１３】
４つの二重シールドケーブル要素の前記２つのシールド導体は、前記映像ソース装置と前記昇圧装置との間を延伸し、
前記４つの二重シールドケーブル要素の前記２つのシールド導体は、メインラインレーンである４つの高速差動デジタルデータ信号を搬送するよう構成され、
他の１つの二重シールドケーブル要素の前記２つのシールド導体は、前記映像ソース装置と前記映像シンク装置との間を延伸し、補助チャネル（ＡＵＸ  ＣＨ）差動信号である補助信号を搬送するよう構成され、
前記４つの二重シールドケーブル要素および前記他の１つの二重シールドケーブル要素の前記シールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される
請求項１２に記載のデジタル映像ケーブル。
【請求項１４】
前記少なくとも１つの二重シールドケーブル要素のインピーダンスは、前記ケーブル仕様に規定された前記デジタル映像ケーブルの公称インピーダンスより低く、
前記第１回路支持体は、前記少なくとも１つの二重シールドケーブル要素の前記２つのシールド導体とそれぞれ直列となった２つのパディング抵抗を有し、
前記昇圧装置は、前記少なくとも１つの二重シールドケーブル要素を終端する昇圧回路を有する
請求項５から１３のいずれか１項に記載のデジタル映像ケーブル。
【請求項１５】
ローケーブルおよび昇圧装置を備えるデジタル映像ケーブル上で、映像ソース装置から映像シンク装置に１つ以上の高速差動デジタルデータ信号および１つ以上の補助信号を伝送する方法であって、
前記ローケーブルの１対のシールド導体で、前記映像ソース装置から前記昇圧装置に少なくとも１つの高速差動デジタルデータ信号を搬送する段階と、
前記昇圧装置で前記少なくとも１つの高速差動デジタルデータ信号を昇圧して昇圧信号を生成し、前記昇圧信号を前記映像シンク装置に伝送する段階と、
前記１対のシールド導体のシールド上で、少なくとも１つの補助信号を搬送する段階と
を備える方法。
【請求項１６】
前記昇圧装置で、前記少なくとも１つの高速差動デジタルデータ信号を平均化する段階をさらに備える請求項１５に記載の方法。
【請求項１７】
前記伝送する段階は、
高品位マルチメディアインターフェース（ＨＤＭＩ）ケーブル、および
ＤｉｓｐｌａｙＰｏｒｔケーブル
のうちの１つである前記デジタル映像ケーブル上で伝送する段階を有する請求項１５または１６に記載の方法。
【請求項１８】
ケーブル仕様にしたがって、映像ソース装置と映像シンク装置との間で、１つ以上の高速差動デジタルデータ信号および１つ以上の補助信号を搬送するデジタル映像ケーブルであって、
１つ以上の二重シールドケーブル要素を有するローケーブルであって、各二重シールドケーブル要素が、シールドと、高速差動デジタルデータ信号の２つの極性を伝送する２つのシールド導体とを含み、少なくとも１つの二重シールドケーブル要素のインピーダンスが、前記ケーブル仕様に規定された前記デジタル映像ケーブルの公称インピーダンスより低いローケーブルと、
前記映像ソース装置を前記ローケーブルに接続する第１回路支持体であって、前記少なくとも１つの二重シールドケーブル要素の前記２つのシールド導体とそれぞれ直列となった２つのパディング抵抗を有する第１回路支持体と、
前記ローケーブルを前記映像シンク装置に接続する第２回路支持体であって、前記少なくとも１つの二重シールドケーブル要素を終端し、かつ、前記少なくとも１つの二重シールドケーブル要素によって搬送される前記高速差動デジタルデータ信号を昇圧する昇圧装置を有する第２回路支持体と、
を備え、
前記昇圧装置の出力が前記映像シンク装置に接続される
デジタル映像ケーブル。
【請求項１９】
前記２つのパディング抵抗の合計の抵抗値は、前記公称インピーダンスと前記少なくとも１つの二重シールドケーブル要素の前記インピーダンスとの差に等しい請求項１８に記載のデジタル映像ケーブル。
【請求項２０】
前記２つのパディング抵抗は、同一の抵抗値を有する請求項１９に記載のデジタル映像ケーブル。
【請求項２１】
前記１つ以上の二重シールドケーブル要素のうち１つの二重シールドケーブル要素の前記シールドは、補助信号を搬送するよう構成される請求項１８から２０のいずれか１項に記載のデジタル映像ケーブル。
【請求項２２】
前記１つ以上の二重シールドケーブル要素のうち１つの二重シールドケーブル要素の前記２つのシールド導体は、高速差動デジタルデータ信号を搬送するよう構成される請求項２１に記載のデジタル映像ケーブル。
【請求項２３】
前記１つ以上の二重シールドケーブル要素のうちいくつか、または、全ては、二重同軸要素であり、各二重同軸要素は、シールドが互いに結合された２つの同軸線を含み、各同軸線は、１つのシールド導体を内包する請求項１８から２２のいずれか１項に記載のデジタル映像ケーブル。
【請求項２４】
前記デジタル映像ケーブルの前記公称インピーダンスは、１００オームであり、前記少なくとも１つの二重シールドケーブル要素の前記インピーダンスは、前記２つの同軸線の特性インピーダンスを含めて５０オームから９０オームの間である請求項２３に記載のデジタル映像ケーブル。
【請求項２５】
各同軸線の特性インピーダンスは、３５オームである請求項２４に記載のデジタル映像ケーブル。
【請求項２６】
前記１つ以上の二重シールドケーブル要素のうちいくつか、または、全ては、シールド付きツイストペア（ＳＴＰ）であり、各ＳＴＰは、前記２つのシールド導体を内包するシールドを含む請求項１８から２２のいずれか１項に記載のデジタル映像ケーブル。
【請求項２７】
前記デジタル映像ケーブルの前記公称インピーダンスは、１００オームであり、シールド付きツイストペアの特性インピーダンスは、５０オームから９０オームの間である請求項２６に記載のデジタル映像ケーブル。
【請求項２８】
前記シールド付きツイストペアの前記特性インピーダンスは、７０オームである請求項２７に記載のデジタル映像ケーブル。
【請求項２９】
前記ケーブル仕様は、高品位マルチメディアインターフェース（ＨＤＭＩ）規格である請求項１８から２８のいずれか１項に記載のデジタル映像ケーブル。
【請求項３０】
前記ケーブル仕様は、ＤｉｓｐｌａｙＰｏｒｔ規格である請求項１８から２８のいずれか１項に記載のデジタル映像ケーブル。
【請求項３１】
前記１つ以上の高速差動デジタルデータ信号は、遷移時間最短差動信号伝送方式（ＴＭＤＳ）信号であり、前記１つ以上の補助信号は、コンシューマ・エレクトロニクス・コントロール（ＣＥＣ）信号、シリアル・クロック（ＳＣＬ）信号、ホット・プラグ・ディテクト（ＨＰＤ）信号、および＋５Ｖパワー信号である請求項２９に記載のデジタル映像ケーブル。
【請求項３２】
４つの二重シールドケーブル要素の前記２つのシールド導体は、前記映像ソース装置と前記昇圧装置との間を延伸し、
前記４つの二重シールドケーブル要素の前記２つのシールド導体は、遷移時間最短差動信号伝送方式（ＴＭＤＳ）信号である４つの高速差動デジタルデータ信号を搬送するよう構成され、
他の１つの二重シールドケーブル要素の前記２つのシールド導体は、前記映像ソース装置と前記映像シンク装置との間を延伸し、ＨＤＭＩイーサネット（登録商標）オーディオ・リターン・チャンネル（ＨＥＡＣ）差動信号である補助信号を搬送するよう構成され、
前記４つの二重シールドケーブル要素および前記他の１つの二重シールドケーブル要素の前記シールドは、コンシューマ・エレクトロニクス・コントロール（ＣＥＣ）信号、シリアル・クロック（ＳＣＬ）信号、シリアル・データ（ＳＤＡ）信号、デジタル・データ・チャネル（ＤＤＣ）／ＣＥＣグラウンド信号、および＋５パワー信号である補助信号を搬送するよう構成される
請求項２９または３１に記載のデジタル映像ケーブル。
【請求項３３】
前記昇圧装置は、前記ＴＭＤＳ信号をそれぞれ平均化および昇圧する平均化装置および増幅器を含む請求項３１または３２に記載のデジタル映像ケーブル。
【請求項３４】
４つの二重シールドケーブル要素の前記２つのシールド導体は、前記映像ソース装置と前記昇圧装置との間を延伸し、
前記４つの二重シールドケーブル要素の前記２つのシールド導体は、メインラインレーンである４つの高速差動デジタルデータ信号を搬送するよう構成され、
他の１つの二重シールドケーブル要素の前記２つのシールド導体は、前記映像ソース装置と前記映像シンク装置との間を延伸し、補助チャネル（ＡＵＸ  ＣＨ）差動信号である補助信号を搬送するよう構成され、
前記４つの二重シールドケーブル要素および前記他の１つの二重シールドケーブル要素の前記シールドは、ＣＯＮＦＩＧ１信号、ＣＯＮＦＩＧ２信号、グラウンド信号、ホット・プラグ・ディテクト（ＨＰＤ）信号、およびＤｉｓｐｌａｙＰｏｒｔパワー（ＤＰ＿ＰＷＲ）信号である補助信号を搬送するよう構成される
請求項３０に記載のデジタル映像ケーブル。
【請求項３５】
前記昇圧装置は、前記メインラインレーンをそれぞれ平均化および昇圧する平均化装置および増幅器を含む請求項３４に記載のデジタル映像ケーブル。
【請求項３６】
ケーブル仕様に適合するよう設計されたデジタル映像ケーブル上で、映像ソース装置から映像シンク装置に、高速差動デジタルデータ信号を伝送する方法であって、
前記ケーブル仕様に規定された前記デジタル映像ケーブルの公称インピーダンスよりも低いインピーダンスを持つローケーブルの入力に、２つのパディング抵抗をそれぞれ介して、前記高速差動デジタルデータ信号の２つの極性を結合する段階と、
前記ローケーブルの前記インピーダンスに整合する入力を有する昇圧装置に、前記ローケーブルの出力から、差動出力信号を結合する段階と、
前記差動出力信号を昇圧して昇圧差動信号を生成する段階と、
前記昇圧差動信号を前記映像シンク装置に結合する段階と
を備える方法。
【請求項３７】
前記ローケーブルのシールド上で、前記映像ソース装置から前記映像シンク装置に、補助信号を伝送する段階をさらに備える請求項３６に記載の方法。
【請求項３８】
前記伝送する段階は、シールドが互いに結合された１対の同軸線を含む同軸ケーブル上で伝送する段階を有し、前記補助信号は、結合された前記シールド上で伝送される請求項３７に記載の方法。
【請求項３９】
前記伝送する段階は、２つのシールド導体を内包するシールドを含むシールド付きツイストペア（ＳＴＰ）上で伝送する段階を有し、前記補助信号は前記ＳＴＰの前記シールド上で伝送され、前記高速差動デジタルデータ信号は、前記２つのシールド導体上で伝送される請求項３７に記載の方法。
【手続補正２】
【補正対象書類名】明細書
【補正対象項目名】００７７
【補正方法】変更
【補正の内容】
【００７７】
第１ローケーブル１０８．１では１４（３×４＋２）本の経路が設けられるが、第２ローケーブル１０８．２では、ＳＴＰ３０２、３０４、３０６、３０８、および３１０によって、１５（３×５）本の異なる導電路が設けられる。したがって、信号割り当ての変更に有利に用いられる追加的な経路が利用可能である。これは、図４および表２に示されており、表では基本ＳＴＰ  ＨＤＭＩケーブル１０２．２の好適な構成がリストされている。
【手続補正３】
【補正対象書類名】明細書
【補正対象項目名】００９８
【補正方法】変更
【補正の内容】
【００９８】
［ＤｉｓｐｌａｙＰｏｒｔケーブル］
図７は、本発明の実施形態に係る、第５入力パドルボード１１４．５、第５ローケーブル１０８．５、および第５出力パドルボード１１６．５を備える、同軸技術に基づいた同軸ＤｉｓｐｌａｙＰｏｒｔケーブル１０２．５を示す。第５ローケーブル１０８．５は、５つの同軸対６０２、６０４、６０６、６０８、および６１０として配列された合計１０本の個別の同軸線を含む。同軸対６０２〜６１０のそれぞれは、「ａ」および「ｂ」として示される内部信号配線による２本の同軸線と、単一の導電路を形成するように互いに結合された２つのシールドとを含む。したがって、上記したように（図１Ｂ参照）、同軸対６０２〜６１０のそれぞれによって、３本の電気接続、つまり、１本の差動接続（配線「ａ」および「ｂ」）と、１本のシングルエンド接続（結合シールド）とが提供される。
【国際調査報告】
2013545212.tif 000019
2013545212.tif 000020
2013545212.tif 000021
2013545212.tif 000022
2013545212.tif 000023